(57)【要約】【課題】  複数の面を組み合わせたデジタルサイネージにおいて、誤操作を防止する。【解決手段】  画像投影システムであって、所定領域に含まれる複数の面の位置及び大きさに応じて、１の画像を複数の分割画像に分割する分割手段と、前記複数の面それぞれに対応する投影装置を介して、前記複数の分割画像を、前記複数の面に対応する投影面それぞれに、予め定められた投影予定に基づいて投影するよう制御する制御手段と、を有し、前記制御手段は、更に、前記複数の分割画像についての所定の操作を、前記投影予定に基づいて制限する操作手段を有することを特徴とする。【選択図】図３
2018036480.tif 000002
【特許請求の範囲】
【請求項１】
所定領域に含まれる複数の面の位置及び大きさに応じて、１の画像を複数の分割画像に分割する分割手段と、
前記複数の面それぞれに対応する投影装置を介して、前記複数の分割画像を、前記複数の面に対応する投影面それぞれに、予め定められた投影予定に基づいて投影するよう制御する制御手段と、を有し、
前記制御手段は、更に、
前記複数の分割画像についての所定の操作を、前記投影予定に基づいて制限する操作手段を有することを特徴とする画像投影システム。
【請求項２】
前記操作手段は、
前記複数の分割画像が、前記投影予定の分割画像として指定されていない場合、該複数の分割画像についての削除指示の入力を可能にし、前記複数の分割画像が、前記投影予定の分割画像として指定されている場合、該複数の分割画像についての削除指示の入力を制限することを特徴とする請求項１に記載の画像投影システム。
【請求項３】
前記操作手段は、
前記複数の分割画像が、前記投影予定の分割画像として指定されていない場合、前記削除指示を入力する画面において、前記複数の分割画像を特定するための識別子を選択可能に表示し、
前記複数の分割画像が、前記投影予定の分割画像として指定されている場合、前記削除指示を入力する画面において、前記複数の分割画像を特定するための識別子を非表示にすることを特徴とする請求項２に記載の画像投影システム。
【請求項４】
前記複数の分割画像それぞれを投影する複数の前記投影装置は、該複数の分割画像それぞれを格納し、
前記操作手段は、
前記複数の分割画像についての削除指示が入力された場合、該複数の分割画像それぞれを投影する前記複数の投影装置に、該複数の分割画像それぞれについての削除指示を送信することを特徴とする請求項２に記載の画像投影システム。
【請求項５】
前記操作手段は、
前記複数の分割画像を前記複数の面に対応する投影面それぞれに投影する時間帯が、前記投影予定として指定されたスケジュール情報を生成し、
前記制御手段は、
前記スケジュール情報において指定された時間帯に基づいて、前記複数の分割画像を、前記複数の面に対応する投影面それぞれに投影するよう制御することを特徴とする請求項１に記載の画像投影システム。
【請求項６】
前記操作手段は、
前記スケジュール情報の削除指示が入力された場合、現在時刻が、該スケジュール情報において指定された時間帯であるか否かを判定し、現在時刻が、該スケジュール情報において指定された時間帯でないと判定した場合に、前記スケジュール情報を削除することを特徴とする請求項５に記載の画像投影システム。
【請求項７】
所定領域に含まれる複数の面の位置及び大きさに応じて、１の画像を複数の分割画像に分割する分割手段と、
前記複数の面それぞれに対応する投影装置を介して、前記複数の分割画像を、前記複数の面に対応する投影面それぞれに、予め定められた投影予定に基づいて投影するよう制御する制御手段と、を有し、
前記制御手段は、更に、
前記複数の分割画像についての所定の操作を、前記投影予定に基づいて制限する操作手段を有することを特徴とする情報処理装置。
【請求項８】
所定領域に含まれる複数の面の位置及び大きさに応じて、１の画像を複数の分割画像に分割する分割工程と、
前記複数の面それぞれに対応する投影装置を介して、前記複数の分割画像を、前記複数の面に対応する投影面それぞれに、予め定められた投影予定に基づいて投影するよう制御する制御工程と、を有し、
前記制御工程は、更に、
前記複数の分割画像についての所定の操作を、前記投影予定に基づいて制限する操作工程を有することを特徴とする画像投影方法。
【請求項９】
所定領域に含まれる複数の面の位置及び大きさに応じて、１の画像を複数の分割画像に分割する分割工程と、
前記複数の面それぞれに対応する投影装置を介して、前記複数の分割画像を、前記複数の面に対応する投影面それぞれに、予め定められた投影予定に基づいて投影するよう制御する制御工程と、をコンピュータに実行させるためのプログラムであって、
前記制御工程は、更に、
前記複数の分割画像についての所定の操作を、前記投影予定に基づいて制限する操作工程を有することを特徴とするプログラム。
【発明の詳細な説明】
【技術分野】
【０００１】
本発明は、画像投影システム、情報処理装置、画像投影方法及びプログラムに関する。
【背景技術】
【０００２】
近年、プロジェクタなどの画像投影装置に動画像等のコンテンツを配信し、屋外や店頭、公共空間等に設置された大画面に、当該コンテンツを投影するデジタルサイネージが広く利用されている。デジタルサイネージの場合、時間や場所に適したコンテンツをリアルタイムに投影できるため、高い広告効果が期待できる。
【発明の概要】
【発明が解決しようとする課題】
【０００３】
一方で、上記のような画像投影装置を用いた大規模なデジタルサイネージの場合、投影対象として一定程度の大きさの平坦面が必要となる。このため、適用可能な場所に限りがあるといった問題がある。これに対して、例えば、建物の窓ガラス（光透過面）のような、所定領域に含まれる複数の面を組み合わせて利用することで、１つのデジタルサイネージを実現することができれば、デジタルサイネージの適用範囲を広げることができる。特に、窓ガラス数の多い中高層の建物に適用できれば、従来よりも大規模なデジタルサイネージが実現できる。
【０００４】
ここで、複数の窓ガラスを組み合わせてデジタルサイネージを実現する場合、各窓ガラスに対応して配置された画像投影装置に、それぞれの位置に応じた投影用動画像を投影する必要がある。このため、生成すべき投影用動画像の数が増大し、投影用動画像の取り扱い（配信、投影、削除等の各種操作）においては、高い操作性が求められることになる。一方で、投影用動画像の生成には多大な時間を要するため、操作者が誤って削除してしまった場合には、再生成に時間がかかり、一定期間、デジタルサイネージを行うことができなくなる。
【０００５】
このようなことから、投影用動画像の管理においては、高い操作性を維持しつつ、誤操作等の発生を防止できるようにすることが望ましい。
【０００６】
本発明は、上記課題に鑑みてなされたものであり、複数の面を組み合わせたデジタルサイネージにおいて、誤操作を防止することを目的とする。
【課題を解決するための手段】
【０００７】
本発明の各実施形態に係る画像投影システムは、以下のような構成を有する。即ち、
所定領域に含まれる複数の面の位置及び大きさに応じて、１の画像を複数の分割画像に分割する分割手段と、
前記複数の面それぞれに対応する投影装置を介して、前記複数の分割画像を、前記複数の面に対応する投影面それぞれに、予め定められた投影予定に基づいて投影するよう制御する制御手段と、を有し、
前記制御手段は、更に、
前記複数の分割画像についての所定の操作を、前記投影予定に基づいて制限する操作手段を有することを特徴とする。
【発明の効果】
【０００８】
本発明の各実施形態によれば、複数の面を組み合わせたデジタルサイネージにおいて、誤操作を防止することが可能になる。
【図面の簡単な説明】
【０００９】
【図１】画像投影システムの適用例を示す図である。
【図２】建物の各窓ガラスに対応する位置に配置された各サイネージ装置の動作を説明するための図である。
【図３】画像投影システムのシステム構成の一例を示す図である。
【図４】情報処理装置のハードウェア構成の一例を示す図である。
【図５】サイネージ対象情報の一例を示す図である。
【図６】画像情報の一例を示す図である。
【図７】スケジュール情報の一例を示す図である。
【図８】サイネージ処理の流れを示すフローチャートである。
【図９】情報処理装置の校正部の機能構成を示す図である。
【図１０】第１の校正処理のシーケンス図である。
【図１１】第１の校正処理時に表示される情報処理装置の画面の一例を示す図である。
【図１２】第１の校正処理時に投影される校正パターン画像の一例を示す図である。
【図１３】第１の校正処理時に投影される校正パターン画像の他の一例を示す図である。
【図１４】第２の校正処理のシーケンス図である。
【図１５】第２の校正処理時に投影される白画像の一例を示す図である。
【図１６】情報処理装置の画像処理部の機能構成を示す図である。
【図１７】画像処理の具体例を示す図である。
【図１８】画像処理の流れを示すフローチャートである。
【図１９】第１分割処理の流れを示すフローチャートである。
【図２０】第１分割処理の一例を示す図である。
【図２１】情報処理装置のサイネージ制御部の機能構成を示す図である。
【図２２】サイネージ制御処理の流れを示すフローチャートである。
【図２３】スケジュール管理処理の流れを示すフローチャートである。
【図２４】投影スケジュール画面及び新規登録画面の一例を示す図である。
【図２５】投影スケジュール画面及びスケジュール編集画面の一例を示す図である。
【図２６】スケジュール削除処理の流れを示すフローチャートである。
【図２７】投影スケジュール画面においてスケジュール削除処理を行った様子を示す図である。
【図２８】コンテンツ削除処理の流れを示すフローチャートである。
【図２９】投影スケジュール画面及び未使用コンテンツ一覧画面の一例を示す図である。
【発明を実施するための形態】
【００１０】
以下、各実施形態の詳細について添付の図面を参照しながら説明する。なお、各実施形態に係る明細書及び図面の記載に際して、実質的に同一の機能構成を有する構成要素については、同一の符号を付することにより重複した説明を省く。
【００１１】
［第１の実施形態］
＜１．画像投影システムの適用例＞
はじめに、第１の実施形態に係る画像投影システムの適用例について説明する。図１は、画像投影システムの適用例を示す図である。図１の例は、中層のビルである建物１１０の外面に取り付けられた複数の窓ガラス（光透過面）を組み合わせて利用することで、大規模なデジタルサイネージを実現した様子を示している。
【００１２】
図１に示すように、建物１１０の道路側の外面には、複数の窓ガラス（窓ガラス群１２０）が取り付けられている（図１の例では、３０枚の窓ガラス）。第１の実施形態に係る画像投影システムでは、建物１１０の外面に取り付けられた複数の窓ガラス（窓ガラス群１２０）それぞれに対して、内側から投影用動画像群１３０に含まれる各投影用動画像を投影する。
【００１３】
これにより、第１の実施形態に係る画像投影システムによれば、窓ガラス３０枚分の領域からなる、大規模なデジタルサイネージ（図１の例は、巨大なツリーが表示されたシーンを示している）を実現することができる。また、道路側の外面等のように比較的目立つ場所において、デジタルサイネージを実現することができる。つまり、広告効果の高いデジタルサイネージを実現することができる。
【００１４】
また、第１の実施形態に係る画像投影システムによれば、従来のように、予め設置されている大画面や、窓ガラスのない建物の側壁面等を利用するデジタルサイネージと比較して、デジタルサイネージの適用範囲を広げることができる。
【００１５】
＜２．サイネージ装置の動作＞
次に、第１の実施形態に係る画像投影システムを構成する各サイネージ装置（本実施形態では、プロジェクタ（投影装置）、電動スクリーン（投影面）、電飾装置を指すものとする）の動作について説明する。
【００１６】
図２は、建物の各窓ガラスに対応する位置に配置された各サイネージ装置の動作を説明するための図である。図２（Ａ）の（ａ）〜（ｄ）は、建物１１０の各窓ガラスの内側に配置された各サイネージ装置のうち、プロジェクタ及び電動スクリーンの動作を示している。
【００１７】
図２（Ａ）の（ａ）に示すように、建物１１０の各窓ガラスの内側には、プロジェクタが上下に配置されており、１枚の窓ガラスに対して、２台のプロジェクタ（上側プロジェクタ及び下側プロジェクタ）を用いて投影用動画像が投影される。これにより、窓ガラスのサイズが大きい場合でも適切な投影用動画像を投影することができる。
【００１８】
また、図２（Ａ）の（ｂ）に示すように、建物１１０の各窓ガラスの内側には、電動スクリーンが配置されている。プロジェクタを用いて投影用動画像を投影するにあたっては、電動スクリーンをＯＮ状態にすることで光透過度を変化させ、各窓ガラスを半透明の状態にする。なお、電動スクリーン（投影面）は、窓ガラス（投影対象）とともに光透過面を形成する。
【００１９】
図２（Ａ）の（ｃ）は、電動スクリーンをＯＮ状態にした後に、上側プロジェクタ及び下側プロジェクタのランプをＯＮ状態にした様子を示している。上側プロジェクタは、窓ガラスの上側を投影範囲とし、下側プロジェクタは、窓ガラスの下側を投影範囲としている。なお、上側プロジェクタ及び下側プロジェクタは、それぞれ、投影範囲の一部が重複するように調整されている。つまり、本実施形態では、２台のプロジェクタにより、窓ガラスの大きさに応じた投影範囲への投影用動画像の投影を実現している。
【００２０】
図２（Ａ）の（ｄ）は、上側プロジェクタ及び下側プロジェクタにより、投影用動画像が投影された様子を示している。本実施形態に係る画像投影システムでは、窓ガラス群１２０に含まれる各窓ガラスそれぞれに対応する各電動スクリーンそれぞれに投影用動画像が投影されることで、全体として、１つのデジタルサイネージを実現する。このため、各窓ガラスに対応する各電動スクリーンに対しては、元の動画像（広告主が提供する動画像）の一部の領域の動画像に基づいて生成された投影用動画像が上下に分割されて、２台のプロジェクタにより投影されることになる。
【００２１】
なお、図２（Ｂ）に示すように、第１の実施形態に係る画像投影システムでは、投影用動画像群１３０の投影が終了した状態で、電飾装置群１４０（電飾装置１４０＿１〜１４０＿６）がＯＮ状態になり、かつ電動スクリーンがＯＦＦ状態になるように制御する。
【００２２】
このように、第１の実施形態に係る画像投影システムでは、上側プロジェクタ、下側プロジェクタ、電動スクリーン及び電飾装置群１４０が互いに連動して動作する。
【００２３】
＜３．画像投影システムのシステム構成＞
次に、第１の実施形態に係る画像投影システムのシステム構成について説明する。図３は、画像投影システムのシステム構成の一例を示す図である。図３に示すように、画像投影システム３００は、プロジェクタ３１０＿１ａ〜３１０＿３０ｂ、外部メモリ３２０＿１ａ〜３２０＿３０ｂ、電動スクリーン３３０＿１〜３３０＿３０、制御装置３４０、電飾装置１４０＿１〜１４０＿６を有する。また、画像投影システム３００は、時刻サーバ３６０、情報処理装置３７０、撮像装置３８１、色彩輝度計３８２を有する。
【００２４】
なお、プロジェクタ３１０＿１ａ〜３１０＿３０ｂ、制御装置３４０及び時刻サーバ３６０と、情報処理装置３７０とは、ネットワーク３９０を介して通信可能に接続されている。
【００２５】
プロジェクタ３１０＿１ａ〜３１０＿３０ｂは、建物１１０の外面の所定領域に取り付けられた窓ガラス群１２０それぞれの内側において、上下に配置される。上述したとおり、建物１１０の外面の所定領域には、３０枚の窓ガラスが取り付けられているため、本実施形態では、６０台のプロジェクタが配置される。
【００２６】
プロジェクタ３１０＿１ａ〜３１０＿３０ｂは、それぞれ、投影対象となる窓ガラスの大きさに応じた投影範囲に、投影用動画像が歪みなく投影されるよう、校正パターン画像を用いて第１の校正処理を実行する。また、プロジェクタ３１０＿１ａ〜３１０＿３０ｂは、それぞれ、投影対象となる窓ガラスに対して、所定の色味で投影用動画像が投影されるよう、白画像を用いて第２の校正処理を実行する。
【００２７】
また、プロジェクタ３１０＿１ａ〜３１０＿３０ｂは、情報処理装置３７０からの投影開始指示に基づいて、外部メモリ３２０＿１ａ〜３２０＿３０ｂにそれぞれ格納された投影用動画像の中から、指定された投影用動画像を読み出す。更に、プロジェクタ３１０＿１ａ〜３１０＿３０ｂは、それぞれが読み出した投影用動画像を投影対象となる窓ガラスに対応する電動スクリーンに投影する。
【００２８】
外部メモリ３２０＿１ａ〜３２０＿３０ｂは、プロジェクタ３１０＿１ａ〜３１０＿３０ｂそれぞれに接続される。外部メモリ３２０＿１ａ〜３２０＿３０ｂは、プロジェクタ３１０＿１ａ〜３１０＿３０ｂそれぞれにより投影される投影用動画像を格納する。なお、ここでいう外部メモリ３２０＿１ａ〜３２０＿３０ｂには、例えば、ＵＳＢ（Universal Serial Bus）メモリ等が含まれる。
【００２９】
電動スクリーン３３０＿１〜３３０＿３０は、建物１１０の外面の所定領域に含まれる窓ガラス群１２０それぞれの内側に配置される。上述したとおり、建物１１０の外面の所定領域には、３０枚の窓ガラスが取り付けられているため、本実施形態では３０台の電動スクリーンが配置される。
【００３０】
電動スクリーン３３０＿１〜３３０＿３０は、電源ケーブルを介して制御装置３４０と接続され、制御装置３４０により、個別にＯＮ状態とＯＦＦ状態とが制御される。電動スクリーン３３０＿１〜３３０＿３０が、制御装置３４０によりＯＮ状態に制御されると、光透過面は光透過度が下がり、半透明の状態になる。一方、電動スクリーン３３０＿１〜３３０＿３０が、制御装置３４０によりＯＦＦ状態に制御されると、光透過面は光透過度が上がり、透明の状態になる。
【００３１】
制御装置３４０は、情報処理装置３７０からのスクリーンＯＮ指示に基づいて、電動スクリーン３３０＿１〜３３０＿３０をＯＮ状態に制御する。また、制御装置３４０は、情報処理装置３７０からのスクリーンＯＦＦ指示に基づいて、電動スクリーン３３０＿１〜３３０＿３０をＯＦＦ状態に制御する。
【００３２】
更に、制御装置３４０は、情報処理装置３７０からの電飾ＯＮ指示に基づいて、電飾装置１４０＿１〜１４０＿６をＯＮ状態に制御する。また、制御装置３４０は、情報処理装置３７０からの電飾ＯＦＦ指示に基づいて、電飾装置１４０＿１〜１４０＿６をＯＦＦ状態に制御する。
【００３３】
電飾装置１４０＿１〜１４０＿６は、電源ケーブルを介して制御装置３４０と接続され、制御装置３４０により、ＯＮ状態とＯＦＦ状態とが制御される。
【００３４】
時刻サーバ３６０は、プロジェクタ３１０＿１ａ〜３１０＿３０ｂと、情報処理装置３７０との間で、時刻を同期させるために、情報処理装置３７０に時刻情報を提供する。
【００３５】
情報処理装置３７０は、画像投影システム３００におけるサイネージ処理を制御するための装置である。情報処理装置３７０には、校正プログラム、画像処理プログラム、サイネージ制御プログラムがインストールされている。情報処理装置３７０は、これらのプログラムを実行することで、校正部３７１、画像処理部３７２、サイネージ制御部３７３として機能する。
【００３６】
校正部３７１は、プロジェクタ３１０＿１ａ〜３１０＿３０ｂとともに、第１の校正処理及び第２の校正処理を実行する。また、校正部３７１は、第１の校正処理を実行することで、プロジェクタ３１０＿１ａ〜３１０＿３０ｂによりそれぞれ投影される投影用動画像の生成の際に用いられる補正パラメータを算出する。
【００３７】
更に、校正部３７１は、プロジェクタ３１０＿１ａ〜３１０＿３０ｂとともに、第２の校正処理を実行することで、プロジェクタ３１０＿１ａ〜３１０＿３０ｂに設定されるＲＧＢレベルを算出する。
【００３８】
画像処理部３７２は、分割手段の一例である。画像処理部３７２は、サイネージ対象情報管理部３７５に格納されたサイネージ対象情報と、画像情報管理部３７６に格納された画像情報とを読み出し、広告主から提供された元の動画像から投影用動画像を生成する。サイネージ対象とは、画像投影システム３００により大規模なデジタルサイネージが実現される建物１１０を指す。また、サイネージ対象情報は、建物１１０の外面の所定領域に含まれる窓ガラス群１２０の各窓ガラスの位置、大きさ等の情報を含む。更に、画像情報は、投影用動画像の生成の際に用いられる各種画像や補正パラメータ等を管理するための情報を含む。
【００３９】
なお、画像処理部３７２は、投影用動画像の生成に際して、校正部３７１により算出された補正パラメータを用いる。
【００４０】
また、画像処理部３７２は、投影用動画像を生成する過程で生成した、分割静止画像（詳細は後述）を画像情報管理部３７６に格納する。更に、画像処理部３７２は、生成した投影用動画像群の各投影用動画像を、プロジェクタ３１０＿１ａ〜３１０＿３０ｂそれぞれに送信する。これにより、プロジェクタ３１０＿１ａ〜３１０＿３０ｂは、それぞれ、外部メモリ３２０＿１ａ〜３２０＿３０ｂに投影用動画像を格納する。
【００４１】
サイネージ制御部３７３は、制御手段の一例である。サイネージ制御部３７３は、スケジュール情報を生成し、スケジュール情報管理部３７７に格納する。また、サイネージ制御部３７３は、スケジュール情報管理部３７７に格納したスケジュール情報に基づいて、サイネージ制御処理を行う。例えば、サイネージ制御部３７３は、スケジュール情報に基づいて識別される投影開始時刻または投影終了時刻に応じて、プロジェクタ３１０＿１ａ〜３１０＿３０ｂそれぞれに、投影開始指示または投影終了指示を送信する。また、サイネージ制御部３７３は、スケジュール情報に基づいて識別される投影開始時刻または投影終了時刻に応じて、電動スクリーン３３０＿１〜３３０＿３０にスクリーンＯＮ指示またはスクリーンＯＦＦ指示を送信する。更に、サイネージ制御部３７３は、スケジュール情報に基づいて識別される投影開始時刻または投影終了時刻に応じて、電飾装置１４０＿１〜１４０＿６に電飾ＯＦＦ指示または電飾ＯＮ指示を送信する。
【００４２】
撮像装置３８１は、プロジェクタ３１０＿１ａ〜３１０＿３０ｂそれぞれが第１の校正処理を実行する際に、プロジェクタ３１０＿１ａ〜３１０＿３０ｂそれぞれが投影した校正パターン画像を撮影し、情報処理装置３７０に送信する。なお、撮像装置３８１と、情報処理装置３７０とは、例えば、ＵＳＢケーブルを介して接続される。
【００４３】
色彩輝度計３８２は、プロジェクタ３１０＿１ａ〜３１０＿３０ｂそれぞれが第２の校正処理を実行する際に、プロジェクタ３１０＿１ａ〜３１０＿３０ｂそれぞれが投影した白画像について、色温度を測定し、測定結果を情報処理装置３７０に送信する。なお、色彩輝度計３８２と、情報処理装置３７０とは、例えば、ＵＳＢケーブルを介して接続される。
【００４４】
＜４．情報処理装置のハードウェア構成＞
次に、情報処理装置３７０のハードウェア構成について説明する。図４は、情報処理装置のハードウェア構成の一例を示す図である。
【００４５】
図４に示すように、情報処理装置３７０は、ＣＰＵ（Central Processing Unit）４０１、ＲＯＭ（Read Only Memory）４０２、ＲＡＭ（Random Access Memory）４０３を備える。ＣＰＵ４０１、ＲＯＭ４０２、ＲＡＭ４０３は、いわゆるコンピュータを形成する。更に、情報処理装置３７０は、補助記憶部４０４、表示部４０５、入力部４０６、ネットワークＩ／Ｆ（Interface）部４０７、ＵＳＢＩ／Ｆ部４０８を備える。なお、情報処理装置３７０の各ハードウェアは、バス４０９を介して相互に接続されている。
【００４６】
ＣＰＵ４０１は、補助記憶部４０４に格納された各種プログラム（例えば、校正プログラム、画像処理プログラム、サイネージ制御プログラム等）を実行するデバイスである。
【００４７】
ＲＯＭ４０２は不揮発性の主記憶デバイスである。ＲＯＭ４０２は、補助記憶部４０４に格納された各種プログラムを、ＣＰＵ４０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００４８】
ＲＡＭ４０３は、ＤＲＡＭ（Dynamic Random Access Memory）やＳＲＡＭ（Static Random Access Memory）等の揮発性の主記憶デバイスである。ＲＡＭ４０３は、補助記憶部４０４に格納された各種プログラムがＣＰＵ４０１によって実行される際に展開される、作業領域を提供する。
【００４９】
補助記憶部４０４は、ＣＰＵ４０１により実行される各種プログラムや各種プログラムが実行される際に用いられる各種情報を格納する補助記憶デバイスである。補助記憶部４０４に格納される各種情報には、サイネージ対象情報、画像情報、スケジュール情報及び画像情報により管理される各種情報、補正パラメータ等が含まれる。なお、サイネージ対象情報管理部３７５、画像情報管理部３７６、スケジュール情報管理部３７７は、補助記憶部４０４により実現される。
【００５０】
表示部４０５は、各種画面を表示する表示デバイスである。入力部４０６は、情報処理装置３７０に各種情報を入力するための入力デバイスである。ネットワークＩ／Ｆ部４０７は、ネットワーク３９０と接続するためのインタフェースデバイスである。情報処理装置３７０は、プロジェクタ３１０＿１ａ〜３１０＿３０ｂ、制御装置３４０、時刻サーバ３６０との間の通信を、ネットワークＩ／Ｆ部４０７を介して行う。
【００５１】
ＵＳＢＩ／Ｆ部４０８は、ＵＳＢケーブルを接続するためのインタフェースデバイスである。情報処理装置３７０は、撮像装置３８１、色彩輝度計３８２との間のデータの送受信を、ＵＳＢＩ／Ｆ部４０８を介して行う。
【００５２】
＜５．各管理部に格納される情報＞
次に、情報処理装置３７０の各管理部（サイネージ対象情報管理部３７５、画像情報管理部３７６、スケジュール情報管理部３７７）に格納される各種情報（サイネージ対象情報、画像情報、スケジュール情報）について説明する。
【００５３】
（１）サイネージ対象情報
はじめに、サイネージ対象情報管理部３７５に格納されるサイネージ対象情報について説明する。図５は、サイネージ対象情報の一例を示す図である。図５（ａ）に示すように、サイネージ対象情報５００は、サイネージ対象ごとに生成される。本実施形態では、建物１１０のサイネージ対象ＩＤを、"Ｓ００１"としている。
【００５４】
また、図５（ａ）に示すように、サイネージ対象情報５００には、情報の項目として、"フロア"、"窓ＩＤ"、"窓情報"、"プロジェクタＩＤ"、"電動スクリーンＩＤ"、"電飾装置ＩＤ"が含まれる。
【００５５】
"フロア"には、建物１１０の外面の所定領域に含まれる窓ガラス群１２０が取り付けられているフロアのフロア番号が格納される。
【００５６】
"窓ＩＤ"には、建物１１０の外面の所定領域に含まれる窓ガラス群１２０の各窓ガラスを識別するための識別子が格納される。
【００５７】
"窓情報"には、更に、"位置"、"横サイズ"、"縦サイズ"が含まれる。ここで、図５（ｂ）を参照しながら、"窓情報"に含まれる各窓ガラスの"位置"、"横サイズ"、"縦サイズ"について説明する。
【００５８】
図５（ｂ）に示すように、画像投影システム３００は、建物１１０の外面の所定領域５１０を利用して、大規模なデジタルサイネージを実現する。このとき、画像投影システム３００では、所定領域５１０に含まれる各窓ガラスのレイアウトを特定する際に基準となる点（原点）と、基準となる軸（ｘ軸、ｙ軸）とを規定する。
【００５９】
図５（ｂ）において、点５２０は、所定領域５１０における原点を示している。また、軸５３０は、所定領域５１０において点５２０を原点とした場合のｘ軸を示しており、軸５４０は、所定領域５１０において点５２０を原点とした場合のｙ軸を示している。
【００６０】
図５（ｂ）に示すように、所定領域５１０、原点５２０、ｘ軸５３０、ｙ軸５４０を規定することで、各窓ガラスのレイアウト（位置、横サイズ、縦サイズ）を一意に特定することができる。
【００６１】
図５（ａ）の説明に戻る。"位置"には、建物１１０の外面の所定領域５１０において、各窓ガラスの左下の角の位置を示す座標が格納される。図５（ａ）の場合、窓ＩＤ＝"Ｗ２０１"の窓ガラスの左下の角の位置の座標は、原点（０，０）である。
【００６２】
"横サイズ"には、各窓ガラスの横方向の長さ（幅）が格納される。例えば、窓ＩＤ＝"Ｗ２０１"の窓ガラスの場合、左下の角の位置の座標が（０，０）であり、右下の角の位置の座標が（ｘ１２，０）である。したがって、横サイズ＝"ｘ１２"となる。また、窓ＩＤ＝"Ｗ２０２"の窓ガラスの場合、左下の角の位置の座標が（ｘ２１，０）であり、右下の角の位置の座標が（ｘ２２，０）である。したがって、横サイズ＝"ｘ２２−ｘ２１"となる。
【００６３】
"縦サイズ"には、各窓ガラスの縦方向の長さ（高さ）が格納される。例えば、窓ＩＤ＝"Ｗ２０１"の窓ガラスの場合、左下の角の位置の座標が（０，０）であり、左上の角の位置の座標が（０，ｙ１２）である。したがって、縦サイズ＝"ｙ１２"となる。また、窓ＩＤ＝"Ｗ３０１"の窓ガラスの場合、左下の角の位置の座標が（０，ｙ２１）であり、左上の角の位置の座標が（０，ｙ２２）である。したがって、縦サイズ＝"ｙ２２−ｙ２１"となる。
【００６４】
"プロジェクタＩＤ"には、各窓ガラスに対応する位置に配置されたプロジェクタを識別するための識別子が格納される。図５（ａ）の例は、窓ＩＤ＝"Ｗ２０１"により識別される窓ガラスに対応する位置には、プロジェクタＩＤ＝"ＰＪ２０１Ａ"、"ＰＪ２０１Ｂ"により識別されるプロジェクタがそれぞれ配置されていることを示している。
【００６５】
"電動スクリーンＩＤ"には、各窓ガラスに対応する位置に配置された電動スクリーンを識別するための識別子が格納される。図５（ａ）の例は、窓ＩＤ＝"Ｗ２０１"により識別される窓ガラスに対応する位置には、電動スクリーンＩＤ＝"ＳＣ２０１"により識別される電動スクリーンが配置されていることを示している。
【００６６】
"電飾装置ＩＤ"には、各フロアのいずれかの窓ガラスに対応する位置に配置された電飾装置を識別するための識別子が格納される。図５（ａ）の例は、フロア＝"２Ｆ"により識別されるフロアには、電飾装置ＩＤ＝"Ｅ２００"により識別される電飾装置が配置されていることを示している。
【００６７】
（２）画像情報
次に、画像情報管理部３７６に格納される画像情報について説明する。図６は、画像情報の一例を示す図である。図６に示すように、画像情報６００には、情報の項目として、"動画像ＩＤ"、"サイネージ対象ＩＤ"、"窓ＩＤ"、"プロジェクタＩＤ"が含まれる。また、画像情報６００には、情報の項目として、"補正パラメータＩＤ"、"算出日時"、"分割静止画像群ＩＤ"、"投影用動画像ＩＤ"、"生成日時"が含まれる。
【００６８】
"動画像ＩＤ"には、広告主から提供される元の動画像を識別するための識別子が格納される。図６の例は、動画像ＩＤとして"Ｃ１００"〜"Ｃ１０５"によりそれぞれ識別される動画像が、画像情報管理部３７６に格納されていることを示している。
【００６９】
"サイネージ対象ＩＤ"には、広告主から提供される元の動画像に基づいてデジタルサイネージを実現する建物１１０を識別するための識別子が格納される。図６の例は、動画像ＩＤ＝"Ｃ１００"〜"Ｃ１０５"によりそれぞれ識別される動画像に基づいて、サイネージ対象ＩＤ＝"Ｓ００１"により識別される建物１１０において、デジタルサイネージが実現されることを示している。
【００７０】
"窓ＩＤ"には、サイネージ対象ＩＤ＝"Ｓ００１"により識別される建物１１０の外面の所定領域５１０に含まれる窓ガラス群１２０の各窓ガラスを識別するための識別子が格納される。
【００７１】
"プロジェクタＩＤ"には、窓ＩＤにより識別される各窓ガラスに対応する位置に配置されたプロジェクタを識別するための識別子が格納される。
【００７２】
"補正パラメータＩＤ"には、校正部３７１により算出された補正パラメータを識別するための識別子が格納される。上述したとおり、第１の校正処理が実行されることで、校正部３７１では、窓ガラスごとに補正パラメータを算出するため、補正パラメータＩＤは、窓ＩＤと対応付けて格納される。"算出日時"には、補正パラメータが算出された日時が格納される。
【００７３】
"分割静止画像群ＩＤ"には、動画像ＩＤ＝"Ｃ１００"〜"Ｃ１０５"によりそれぞれ識別される動画像に基づいて、それぞれの投影用動画像群を生成する過程で生成された、分割静止画像群を識別するための識別子が格納される。
【００７４】
"投影用動画像ＩＤ"には、動画像ＩＤ＝"Ｃ１００"〜"Ｃ１０５"によりそれぞれ識別される動画像に基づいて生成された、それぞれの投影用動画像群に含まれる各投影用動画像を識別するための識別子が格納される。
【００７５】
"生成日時"には、投影用動画像ＩＤにより識別される各投影用動画像が生成された日時が格納される。
【００７６】
図６の例は、動画像ＩＤ＝"Ｃ１００"〜"Ｃ１０５"の動画像から、それぞれ投影用動画像ＩＤ＝"Ｍ２０１Ａ"、"Ｍ２０１Ｂ"、・・・"Ｍ７０５Ｂ"が生成されたことを示している。
【００７７】
また、図６の例によれば、動画像ＩＤ＝"Ｃ１００"に対応付けられた投影用動画像ＩＤ＝"Ｍ２０１Ａ"の投影用動画像は、窓ＩＤ＝"Ｗ２０１"の窓ガラスに対応する位置に配置されたプロジェクタＩＤ＝"ＰＪ２０１Ａ"のプロジェクタにより投影される。
【００７８】
また、図６の例によれば、動画像ＩＤ＝"Ｃ１００"に対応付けられた投影用動画像ＩＤ＝"Ｍ２０１Ａ"の投影用動画像の生成に際しては、"２０１６年５月２５日"に補正パラメータ（補正パラメータＩＤ＝"Ｐ２０１"）が算出されている。
【００７９】
また、図６の例によれば、当該補正パラメータ（補正パラメータＩＤ＝"Ｐ２０１"）により、分割静止画像群ＩＤ＝"Ｃ２０１"の分割静止画像群が補正されている。更に、図６の例によれば、補正された分割静止画像群ＩＤ＝"Ｃ２０１"の分割静止画像群に基づいて、"２０１６年６月１０日"に、投影用動画像ＩＤ＝"Ｍ２０１Ａ"及び"Ｍ２０１Ｂ"の投影用動画像がそれぞれ生成されている。
【００８０】
なお、以下では、動画像ＩＤ＝"Ｃ１００"の動画像に基づいて生成された、投影用動画像ＩＤ＝"Ｍ２０１Ａ"〜"Ｍ７０５Ｂ"の投影用動画像群を、"コンテンツ１００"と称す。同様に、動画像ＩＤ＝"Ｃ１０１"の動画像に基づいて生成された、投影用動画像ＩＤ＝"Ｍ２０１Ａ"〜"Ｍ７０５Ｂ"の投影用動画像群を、"コンテンツ１０１"と称す。また、動画像ＩＤ＝"Ｃ１０２"の動画像に基づいて生成された、投影用動画像ＩＤ＝"Ｍ２０１Ａ"〜"Ｍ７０５Ｂ"の投影用動画像群を、"コンテンツ１０２"と称す。また、動画像ＩＤ＝"Ｃ１０３"の動画像に基づいて生成された、投影用動画像ＩＤ＝"Ｍ２０１Ａ"〜"Ｍ７０５Ｂ"の投影用動画像群を、"コンテンツ１０３"と称す。また、動画像ＩＤ＝"Ｃ１０４"の動画像に基づいて生成された、投影用動画像ＩＤ＝"Ｍ２０１Ａ"〜"Ｍ７０５Ｂ"の投影用動画像群を、"コンテンツ１０４"と称す。更に、動画像ＩＤ＝"Ｃ１０５"の動画像に基づいて生成された、投影用動画像ＩＤ＝"Ｍ２０１Ａ"〜"Ｍ７０５Ｂ"の投影用動画像群を、"コンテンツ１０５"と称す。
【００８１】
（３）スケジュール情報
次に、スケジュール情報管理部３７７に格納されるスケジュール情報について説明する。図７は、スケジュール情報の一例を示す図である。図７（ａ）〜（ｃ）に示すように、スケジュール情報７１０〜７３０は、サイネージ対象ごと、曜日ごとに生成される。なお、図７（ａ）〜（ｃ）は、それぞれ、サイネージ対象ＩＤ＝"Ｓ００１"の建物１１０についての"金曜日"〜"日曜日"のスケジュール情報を示している。図７（ａ）〜（ｃ）に示すように、スケジュール情報７１０〜７３０には、情報の項目として、"時刻"、"サイネージ装置"が含まれる。
【００８２】
"時刻"には、サイネージ対象ＩＤ＝"Ｓ００１"により識別される建物１１０の窓ガラス群１２０を、デジタルサイネージとして利用することができる時間帯が記載される。図７（ａ）〜（ｃ）の例によれば、１０時００分から２２時００分までの間の時間帯において、デジタルサイネージとして利用することが可能である。
【００８３】
"サイネージ装置"には、更に、"プロジェクタ"、"電動スクリーン"、"電飾装置"が含まれる。"プロジェクタ"には、プロジェクタ３１０＿ａ〜３１０＿３０ｂにより投影用動画像が投影される時間帯が記載される。図７（ａ）の例によれば、１８時００分から１９時００分の間に、動画像ＩＤ＝"Ｃ１００"に基づいて生成された投影用動画像群（"コンテンツ１００"）が投影される。また、図７（ｂ）の例によれば、１８時００分から１９時００分の間及び２０時３０分から２１時３０分の間に、動画像ＩＤ＝"Ｃ１００"、"Ｃ１０１"に基づいて生成された投影用動画像群（"コンテンツ１００"、"コンテンツ１０１"）が投影される。また、図７（ｃ）の例によれば、１８時００分から１９時００分の間及び２０時００分から２１時００分の間に、動画像ＩＤ＝"Ｃ１００"、"Ｃ１０２"に基づいて生成された投影用動画像群（"コンテンツ１００"、"コンテンツ１０２"）が投影される。
【００８４】
"電動スクリーン"には、電動スクリーン３３０＿１〜３３０＿３０がＯＮ状態になる時間帯が記載される。電動スクリーン３３０＿１〜３３０＿３０がＯＮ状態になる時間帯は、プロジェクタ３１０＿１ａ〜３１０＿３０ｂにより投影用動画像群が投影される時間帯と同じ時間帯となる。したがって、図７（ａ）の例では、１８時００分〜１９時００分の間、ＯＮ状態になる。また、図７（ｂ）の例では、１８時００分〜１９時００分の間及び２０時３０分〜２１時３０分の間、図７（ｃ）の例では、１８時００分〜１９時００分の間及び２０時００分〜２１時００の間、ＯＮ状態になる。
【００８５】
"電飾装置"には、電飾装置１４０＿１〜１４０＿６がＯＮ状態になる時間帯が記載される。本実施形態において、電飾装置１４０＿１〜１４０＿６は、夕方以降（図７の例では、１７時００分以降）の時間帯においてＯＮ状態になる。ただし、プロジェクタ３１０＿１ａ〜３１０＿３０ｂにより投影用動画像群が投影される時間帯は除かれる。
【００８６】
このように、スケジュール情報７１０〜７３０は、それぞれ、プロジェクタの投影に関するスケジュールと、電動スクリーンの動作に関するスケジュールと、電飾装置の動作に関するスケジュールとを含む。以下では、プロジェクタの投影に関するスケジュールを「投影スケジュール」、電動スクリーンの動作に関するスケジュールを「スクリーンスケジュール」、電飾装置の動作に関するスケジュールを「電飾スケジュール」と称する。
【００８７】
＜６．画像投影システムにおけるサイネージ処理の流れ＞
次に、画像投影システム３００におけるサイネージ処理の流れについて説明する。図８は、サイネージ処理の流れを示すフローチャートである。建物１１０において、画像投影システム３００の設置が完了することで、画像投影システム３００では、図８に示すサイネージ処理を実行する。
【００８８】
具体的には、ステップＳ８０１において、画像投影システム３００は、プロジェクタ３１０＿１ａ〜３１０＿３０ｂの校正処理（第１の校正処理及び第２の校正処理等）を行う。
【００８９】
ステップＳ８０２において、画像投影システム３００は、画像処理を行う。具体的には、画像投影システム３００は、複数の投影用動画像群の生成及び各プロジェクタ３１０＿１ａ〜３１０＿３０ｂへの投影用動画像の送信等を行う。なお、ここでいう複数の投影用動画像群には、"コンテンツ１００"の投影用動画像ＩＤ＝"Ｍ２０１Ａ"〜"Ｍ７０５Ｂ"の投影用動画像群から"コンテンツ１０５"の投影用動画像ＩＤ＝"Ｍ２０１Ａ"〜"Ｍ７０５Ｂ"の投影用動画像群が含まれる。
【００９０】
ステップＳ８０３において、画像投影システム３００は、サイネージ制御処理を行う。具体的には、画像投影システム３００は、スケジュール情報７１０〜７３０を生成する。また、画像投影システム３００は、スケジュール情報７１０〜７３０に基づいて、プロジェクタ３１０＿１ａ〜３１０＿３０ｂによる投影用動画像群の投影開始／終了制御を行う。更に、画像投影システム３００は、スケジュール情報７１０〜７３０に基づいて、電動スクリーン３３０＿１〜３３０＿３０のＯＮ／ＯＦＦ制御、電飾装置１４０＿１〜１４０＿６のＯＮ／ＯＦＦ制御を行う。
【００９１】
＜７．校正処理の詳細＞
次に、画像投影システム３００における校正処理（ステップＳ８０１）の詳細について説明する。
【００９２】
（１）校正部の機能構成
はじめに、校正処理を実行する、情報処理装置３７０の校正部３７１の機能構成について説明する。図９は、情報処理装置の校正部の機能構成を示す図である。
【００９３】
図９に示すように校正部３７１は、第１校正部９１１及び第２校正部９１２を有する。第１校正部９１１は、第１の校正処理時に起動し、各種処理を実行する。具体的には、第１校正部９１１は、画像処理部３７２が投影用動画像を生成する際に用いる補正パラメータを算出する。また、第１校正部９１１は、算出した補正パラメータを画像情報管理部３７６に格納するとともに、算出した補正パラメータを示す補正パラメータＩＤ及び算出日時を、窓ＩＤと対応付けて画像情報６００に格納する。これにより、画像処理部３７２では、プロジェクタ３１０＿１ａ〜３１０＿３０ｂにより投影された際に歪みのない投影用動画像を生成することができる。
【００９４】
第２校正部９１２は、第２の校正処理時に起動し、各種処理を実行する。具体的には、第２校正部９１２は、投影用動画像が所定の色味で投影されるよう、ＲＧＢレベルを算出し、算出したＲＧＢレベルをプロジェクタ３１０＿１ａ〜３１０＿３０ｂに設定する。
【００９５】
（２）第１の校正処理の流れ
次に、第１の校正処理の詳細について、図１１〜図１３を逐次参照しながら、図１０のシーケンス図に基づいて説明する。図１０は、第１の校正処理のシーケンス図である。
【００９６】
図１０に示すように、ステップＳ１００１において、操作者１０００は、情報処理装置３７０に対して、第１校正部９１１を起動させるための起動指示を入力する。
【００９７】
操作者１０００により起動指示が入力されたことに応じて、ステップＳ１００２では、第１校正部９１１が起動し、情報処理装置３７０の表示部４０５には、第１の校正処理を実行する対象（プロジェクタ）を操作者１０００が選択するための選択画面が表示される。
【００９８】
ステップＳ１００３において、操作者１０００は、表示部４０５に表示された選択画面の中から、第１の校正処理を実行する対象が配置されている窓ガラスを選択する。
【００９９】
操作者１０００により窓ガラスが選択されたことに応じて、第１校正部９１１は、選択された窓ガラスに対応する位置に配置されているプロジェクタを識別する。そして、ステップＳ１００４及びＳ１００５において、第１校正部９１１は、識別したプロジェクタそれぞれに対して、ランプＯＮ指示を送信する。
【０１００】
図１１は、第１の校正処理時に表示される情報処理装置の画面の一例を示す図である。第１校正部９１１が起動すると、情報処理装置３７０の表示部４０５には、選択画面１１００が表示される。図１１に示すように、選択画面１１００には、建物１１０の窓ガラス群１２０のレイアウト１１１０が含まれる。
【０１０１】
操作者１０００は、レイアウト１１１０内の窓ガラスを示す矩形ボタンを押圧し、完了ボタン１１２０を押圧することで、第１の校正処理を実行する対象が配置されている窓ガラスを選択する。図１１の例は、矩形ボタン１１１１が押圧され、完了ボタン１１２０が押圧された様子を示している。
【０１０２】
矩形ボタン１１１１により特定される窓ガラスは、窓ＩＤ＝"Ｗ７０３"の窓ガラス１１２８である。図１１の下側に示すとおり、窓ガラス１１２８に対応する位置には、プロジェクタ３１０＿２８ａ（プロジェクタＩＤ＝"ＰＪ７０３Ａ"）とプロジェクタ３１０＿２８ｂ（プロジェクタＩＤ＝"ＰＪ７０３Ｂ"）とが配置されている。
【０１０３】
したがって、ステップＳ１００４において、第１校正部９１１は、プロジェクタ３１０＿２８ａにランプＯＮ指示を送信する。また、ステップＳ１００５において、第１校正部９１１は、プロジェクタ３１０＿２８ｂにランプＯＮ指示を送信する。なお、この時点で、窓ガラス１１２８の電動スクリーン３３０＿２８（電動スクリーンＩＤ＝"ＳＣ７０３"）はＯＮ状態になっているものとする。
【０１０４】
続いて、ステップＳ１００６において、第１校正部９１１は、校正パターン画像を生成する。第１校正部９１１は、校正パターン画像として、２つの異なる校正パターン画像を生成する。
【０１０５】
ステップＳ１００７において、第１校正部９１１は、プロジェクタ３１０＿２８ａに対して、第１の校正パターン画像を送信する。また、ステップＳ１００８において、第１校正部９１１は、プロジェクタ３１０＿２８ｂに対して、第２の校正パターン画像を送信する。
【０１０６】
ステップＳ１００９において、プロジェクタ３１０＿２８ａは、第１校正部９１１より送信された第１の校正パターン画像を投影する。また、ステップＳ１０１０において、プロジェクタ３１０＿２８ｂは、第１校正部９１１より送信された第２の校正パターン画像を投影する。
【０１０７】
ステップＳ１０１１において、操作者１０００は、投影された第１及び第２の校正パターン画像を撮像装置３８１を用いて撮影するために、撮像装置３８１に撮影指示を入力する。
【０１０８】
ステップＳ１０１２において、撮像装置３８１は、投影された第１及び第２の校正パターン画像について撮影処理を実行し、ステップＳ１０１３において、撮像装置３８１は撮影結果を情報処理装置３７０に送信する。
【０１０９】
図１２は、第１の校正処理時に投影される校正パターン画像の一例を示す図である。図１２に示すように、プロジェクタ３１０＿２８ａは、第１の校正パターン画像を投影し、プロジェクタ３１０＿２８ｂは、第２の校正パターン画像を投影する。操作者１０００は、投影された第１及び第２の校正パターン画像を撮像装置３８１を用いて撮影することで、撮影結果を情報処理装置３７０に送信する。
【０１１０】
図１０の説明に戻る。ステップＳ１０１４において、操作者１０００は、第１の校正パターン画像と第２の校正パターン画像を入れ替えるための入れ替え指示を入力する。
【０１１１】
ステップＳ１０１５において、第１校正部９１１は、入れ替え指示に応じて、プロジェクタ３１０＿２８ａに第２の校正パターン画像を送信する。また、ステップＳ１０１６において、第１校正部９１１は、プロジェクタ３１０＿２８ｂに第１の校正パターン画像を送信する。
【０１１２】
ステップＳ１０１７において、プロジェクタ３１０＿２８ａは、第１校正部９１１より送信された第２の校正パターン画像を投影する。また、ステップＳ１０１８において、プロジェクタ３１０＿２８ｂは、第１校正部９１１より送信された第１の校正パターン画像を投影する。
【０１１３】
ステップＳ１０１９において、操作者１０００は、投影された第２及び第１の校正パターン画像を撮像装置３８１を用いて撮影するために、撮像装置３８１に撮影指示を入力する。
【０１１４】
ステップＳ１０２０において、撮像装置３８１は、投影された第２及び第１の校正パターン画像について撮影処理を実行し、ステップＳ１０２１において、撮像装置３８１は、撮影結果を情報処理装置３７０に送信する。
【０１１５】
図１３は、第１の校正処理時に投影される校正パターン画像の他の一例を示す図である。図１３に示すように、プロジェクタ３１０＿２８ａは、第２の校正パターン画像を投影し、プロジェクタ３１０＿２８ｂは、第１の校正パターン画像を投影する。操作者１０００は、投影された第２及び第１の校正パターン画像を撮像装置３８１を用いて撮影することで、撮影結果を情報処理装置３７０に送信する。
【０１１６】
再び、図１０の説明に戻る。ステップＳ１０２２において、操作者１０００は、第１校正部９１１に対して、補正パラメータの算出に用いる撮影結果を指定するための入力を行う。ステップＳ１０２３において、第１校正部９１１は、操作者１０００により指定された撮影結果を読み出す。
【０１１７】
ステップＳ１０２４において、操作者１０００は、補正パラメータの算出を指示するための入力を行う。ステップＳ１０２５において、第１校正部９１１は、読み出した撮影結果に基づいて、補正パラメータを算出する。
【０１１８】
なお、第１校正部９１１において算出される補正パラメータには、第１及び第２の校正パターン画像に対して位置合わせ補正、スケール合わせ補正、歪み補正等の各種幾何学的な補正を行うための幾何学パラメータが含まれる。この幾何学パラメータは、例えば、電動スクリーンや投影装置の設置位置、投影装置の光学機器の個体差等の種々の要因によって変動する。このため、幾何学パラメータは、窓ガラス（電動スクリーンと投影装置との組み合わせ）ごとに異なる場合が多い。後述する画像処理部３７２では、窓ガラスごとに適切な幾何学パラメータを用いて補正を行うことで、図１のように投影した投影用動画像群１３０のうちの一部の投影用動画像が歪んで表示される、といった不具合が発生するのを回避する。
【０１１９】
第１校正部９１１は、算出した補正パラメータを画像情報管理部３７６に格納する。また、第１校正部９１１は、補正パラメータＩＤ（例えば、"Ｐ７０３"）及び、算出日時（例えば、"２０１６．５．２５"）を、窓ＩＤ（例えば、"Ｗ７０３"）と対応付けて画像情報６００に格納する。
【０１２０】
（３）第２の校正処理の流れ
次に、第２の校正処理の詳細について、図１５を参照しながら、図１４のシーケンス図に基づいて説明する。図１４は、第２の校正処理のシーケンス図である。
【０１２１】
図１４に示すように、ステップＳ１４０１において、操作者１０００は、情報処理装置３７０に対して、第２校正部９１２を起動させるための起動指示を入力する。
【０１２２】
操作者１０００により起動指示が入力されたことに応じて、ステップＳ１４０２では、第２校正部９１２が起動し、情報処理装置３７０の表示部４０５には、第２の校正処理を実行する対象（プロジェクタ）を操作者１０００が選択するための選択画面が表示される。
【０１２３】
ステップＳ１４０３において、操作者１０００は、表示部４０５に表示された選択画面の中から、第２の校正処理を実行する対象が配置されている窓ガラスを選択する。
【０１２４】
操作者１０００により窓ガラスが選択されたことに応じて、第２校正部９１２は、選択された窓ガラスに対応する位置に配置されている電動スクリーンを識別する。そして、ステップＳ１４０４において第２校正部９１２は、識別した電動スクリーンに対して、スクリーンＯＦＦ指示を送信する。
【０１２５】
なお、図１４の例は、第１の校正処理同様、窓ＩＤ＝"Ｗ７０３"の窓ガラス１１２８が選択され、対応する電動スクリーン３３０＿２８に対して、スクリーンＯＦＦ指示が送信された場合を示している。
【０１２６】
第２校正部９１２よりスクリーンＯＦＦ指示が送信されたことに応じて、ステップＳ１４０５では、電動スクリーン３３０＿２８がＯＦＦ状態になる。
【０１２７】
ステップＳ１４０６において、第２校正部９１２は、窓ＩＤ＝"Ｗ７０３"の窓ガラス１１２８に対応する位置に配置されたプロジェクタ３１０＿２８ａ（プロジェクタＩＤ＝"ＰＪ７０３Ａ"）に対して、ランプＯＮ指示を送信する。これにより、プロジェクタｎ'３１０＿２８ａのランプがＯＮ状態になる。
【０１２８】
ステップＳ１４０７において、操作者１０００は、情報処理装置３７０に対して、プロジェクタ３１０＿２８ａに白画像を投影するための投影指示を入力する。
【０１２９】
ステップＳ１４０８において、第２校正部９１２は、操作者１０００による白画像投影指示に応じて、プロジェクタ３１０＿２８ａに対して、白画像投影指示を送信する。
【０１３０】
ステップＳ１４０９において、プロジェクタ３１０＿２８ａは、第２校正部９１２より送信された白画像投影指示に応じて、全白投影を行う。
【０１３１】
ステップＳ１４１０において、操作者１０００は、プロジェクタ３１０＿２８ａにより全白投影された窓ガラスの色温度を測定するための測定指示を、色彩輝度計３８２に対して入力する。
【０１３２】
ステップＳ１４１１において、色彩輝度計３８２は、全白投影された窓ガラス１１２８の色温度を測定する。ステップＳ１４１２において、操作者１０００は、測定した色温度を測定結果として情報処理装置３７０に入力する。
【０１３３】
ステップＳ１４１３において、第２校正部９１２は、操作者１０００により入力された色温度を、ＲＧＢレベルに変換する変換処理を行う。
【０１３４】
ステップＳ１４１４において、第２校正部９１２は、変換処理を行うことで算出したＲＧＢレベルを、プロジェクタ３１０＿２８ａに送信する。
【０１３５】
ステップＳ１４１５において、プロジェクタ３１０＿２８ａは、第２校正部９１２より送信されたＲＧＢレベルを設定する。
【０１３６】
図１５は、第２の校正処理時に投影される白画像の一例を示す図である。図１５に示すように、電動スクリーン３３０＿２８がＯＦＦ状態において、プロジェクタ３１０＿２８ａは、白画像を窓ガラス１１２８に投影する。また、操作者１０００は、色彩輝度計３８２を用いて窓ガラス１１２８の色温度を測定し、測定結果を情報処理装置３７０に入力する。これにより、情報処理装置３７０では、ＲＧＢレベルが算出され、プロジェクタ３１０＿２８ａには、測定結果に応じたＲＧＢレベルが設定される。
【０１３７】
図１４の説明に戻る。ステップＳ１４１６において、操作者１０００は、情報処理装置３７０に対して、第２の校正処理の終了指示を入力する。ステップＳ１４１７において、第２校正部９１２は、操作者１０００により終了指示が入力されたことに応じて、電動スクリーン３３０＿２８に対して、スクリーンＯＮ指示を送信する。
【０１３８】
第２校正部９１２よりスクリーンＯＮ指示が送信されたことに応じて、ステップＳ１４１８では、電動スクリーン３３０＿２８がＯＮ状態になる。
【０１３９】
＜８．画像処理の詳細＞
次に、画像投影システム３００における画像処理（ステップＳ８０２）の詳細について説明する。
【０１４０】
（１）画像処理部の機能構成
はじめに、画像処理を実行する、情報処理装置３７０の画像処理部３７２の機能構成について説明する。図１６は、情報処理装置の画像処理部の機能構成を示す図である。
【０１４１】
図１６に示すように画像処理部３７２は、対象情報取得部１６１１、画像情報取得部１６１２、反転部１６１３、デコード部１６１４を有する。また、画像処理部３７２は、第１分割部１６１５、補正部１６１６、第２分割部１６１７、エンコード部１６１８、送信部１６１９を有する。
【０１４２】
対象情報取得部１６１１は、サイネージ対象情報管理部３７５より、サイネージ対象情報を読み出し、第１分割部１６１５に通知する。
【０１４３】
画像情報取得部１６１２は、画像情報管理部３７６より、広告主から提供された動画像を読み出し、反転部１６１３に通知する。
【０１４４】
反転部１６１３は、画像情報取得部１６１２より通知された動画像の左右を反転させる。画像投影システム３００では、透明または半透明の光透過面（窓ガラス及び電動スクリーン）に対して内側から投影し、投影結果が、外側から視認される。このため、予め左右を反転しておく必要がある。このように、反転部１６１３が反転処理を行うことで、広告主が意図した動画像とは左右が反転した動画像が視認される、といった事態を回避することができる。反転部１６１３は、反転後の動画像をデコード部１６１４に通知する。
【０１４５】
デコード部１６１４は、左右が判定された動画像をデコード処理し、フレーム単位に分解することで、静止画像群を抽出する。デコード部１６１４は、抽出した静止画像群に含まれる各静止画像を、順次、第１分割部１６１５に通知する。
【０１４６】
第１分割部１６１５は、デコード部１６１４から順次通知される各静止画像について、対象情報取得部１６１１から通知されたサイネージ対象情報５００に基づいて、複数の静止画像に分割する第１分割処理を行う。これにより、第１分割部１６１５は、窓ガラスの位置及び窓ガラスのサイズに応じた分割静止画像（分割画像）を生成することができる。
【０１４７】
また、第１分割部１６１５は、静止画像群に含まれる全ての静止画像に対して第１分割処理を行うことで取得した複数の分割静止画像について、同じ窓ガラスの分割静止画像ごとに分けることで、窓ガラスの数分の複数の分割静止画像群を生成する。第１分割部１６１５は、生成した複数の分割静止画像群を、画像情報管理部３７６に格納する。
【０１４８】
また、第１分割部１６１５は、生成した複数の分割静止画像群それぞれに、分割静止画像群ＩＤを付し、窓ＩＤと対応付けて画像情報６００に格納する。
【０１４９】
さらに、第１分割部１６１５は、生成した複数の分割静止画像群それぞれを、窓ＩＤと対応付けて補正部１６１６に通知する。
【０１５０】
補正部１６１６は、第１分割部１６１５より通知された複数の分割静止画像群それぞれを、窓ＩＤに応じた補正パラメータを用いて補正する。また、補正部１６１６は、補正後の複数の分割静止画像群を第２分割部１６１７に通知する。
【０１５１】
第２分割部１６１７は、補正部１６１６より通知された、補正後の複数の分割静止画像群それぞれを、プロジェクタ単位に分割する。補正部１６１６により通知された、補正後の複数の分割静止画像群は、それぞれ窓ガラス単位で生成されているため、第２分割部１６１７では、プロジェクタ単位に分割する。
【０１５２】
エンコード部１６１８は、プロジェクタ単位に分割された補正後の複数の分割静止画像群を、プロジェクタ単位でエンコード処理し、プロジェクタの数分の複数の投影用動画像を生成する。エンコード部１６１８は、生成した複数の投影用動画像を識別するための投影用動画像ＩＤと生成日時とを、プロジェクタＩＤと対応付けて画像情報６００に格納する。
【０１５３】
送信部１６１９は、エンコード部１６１８により生成された複数の投影用動画像を、対応するプロジェクタにそれぞれ送信する。なお、送信部１６１９が投影用動画像を、対応するプロジェクタに事前に送信しておくことで、サイネージ制御部３７３では、投影開始時に、プロジェクタに対して投影開始指示を送信すれば足りることになる。これにより、プロジェクタに対して投影開始時に投影用動画像を送信する構成とした場合と比較して、投影用動画像の投影に際して遅延が生じる可能性を低減させることができる。
【０１５４】
（２）画像処理の具体例
次に、画像処理部３７２による画像処理の具体例について説明する。図１７は、画像処理の具体例を示す図である。ここでは、"コンテンツ１００"を生成するための画像処理について説明する。
【０１５５】
図１７において、動画像１７１０は、広告主から提供された動画像ＩＤ＝"Ｃ１００"の動画像であり、ＭＰＥＧ４形式で画像情報管理部３７６に格納されている。画像情報取得部１６１２が、動画像１７１０を読み出し、反転部１６１３に通知すると、反転部１６１３は、動画像１７１０の左右を反転させ、反転後の動画像１７１１を生成する。
【０１５６】
反転後の動画像１７１１は、デコード部１６１４によりデコード処理され、複数の静止画像からなる静止画像群として抽出される。更に、抽出された静止画像群に対しては、第１分割部１６１５が、サイネージ対象情報５００に基づく第１分割処理を行い、複数の分割静止画像群を生成する。
【０１５７】
なお、複数の分割静止画像群（分割静止画像群１７２０＿１、１７２０＿２、・・・１７２０＿３０）には、それぞれ、分割静止画像群ＩＤ（Ｃ２０１、Ｃ２０２、・・・Ｃ７０５）が付され、窓ＩＤと対応付けて画像情報６００に格納される。
【０１５８】
また、複数の分割静止画像群１７２０＿１、１７２０＿２、・・・１７２０＿３０に対しては、補正部１６１６が、それぞれ、対応する補正パラメータを用いて補正を行う。例えば、補正部１６１６は、分割静止画像群１７２０＿１を、補正パラメータ１７３０＿１（補正パラメータＩＤ＝"Ｐ２０１"）を用いて補正する。また、補正部１６１６は、分割静止画像群１７２０＿２を、補正パラメータ１７３０＿２（補正パラメータＩＤ＝"Ｐ２０２"）を用いて補正する。更に、補正部１６１６は、分割静止画像群１７２０＿３０を、補正パラメータ１７３０＿３０（補正パラメータＩＤ＝"Ｐ７０５"）を用いて補正する。
【０１５９】
補正パラメータにより補正された補正後の分割静止画像群１７２０＿１、１７２０＿２、・・・１７２０＿３０は、それぞれ、第２分割部１６１７により、プロジェクタ単位に分割される。例えば、補正後の分割静止画像群１７２０＿１は、プロジェクタ３１０＿１ａ用の分割静止画像群１７４０＿１ａと、プロジェクタ３１０＿１ｂ用の分割静止画像群１７４０＿１ｂとに分割される。
【０１６０】
同様に、補正後の分割静止画像群１７２０＿３０は、プロジェクタ３１０＿３０ａ用の分割静止画像群１７４０＿３０ａと、プロジェクタ３１０＿３０ｂ用の分割静止画像群１７４０＿３０ｂとに分割される。
【０１６１】
第２分割部１６１７によりプロジェクタ単位に分割された補正後の分割静止画像群１７４０＿１ａ〜１７４０＿３０ｂに対しては、エンコード部１６１８がエンコード処理を行う。これにより、エンコード部１６１８は、ＭＰＥＧ４形式の投影用動画像を生成する。
【０１６２】
例えば、エンコード部１６１８は、プロジェクタ３１０＿１ａ用の分割静止画像群１７４０＿１ａをエンコード処理することで、投影用動画像１７５０＿１ａを生成する。また、エンコード部１６１８は、プロジェクタ３１０＿１ｂ用の分割静止画像群１７４０＿１ｂをエンコード処理することで、投影用動画像１７５０＿１ｂを生成する。更に、エンコード部１６１８は、プロジェクタ３１０＿３０ａ用の分割静止画像群１７４０＿３０ａ、プロジェクタ３１０＿３０ｂ用の分割静止画像群１７４０＿３０ｂをエンコード処理することで、投影用動画像１７５０＿３０ａ、１７５０＿３０ｂを生成する。これにより、"コンテンツ１００"が生成される。
【０１６３】
エンコード部１６１８は、生成した複数の投影用動画像１７５０＿１ａ〜１７５０＿３０ｂを識別するための投影用動画像ＩＤ（Ｍ２０１Ａ、Ｍ２０１Ｂ、・・・Ｍ７０５Ａ、Ｍ７０５Ｂ）及び生成日時を、プロジェクタＩＤと対応付けて画像情報６００に格納する。
【０１６４】
また、送信部１６１９は、生成された複数の投影用動画像１７５０＿１ａ〜１７５０＿３０ｂを、対応するプロジェクタに送信する。例えば、送信部１６１９は、投影用動画像１７５０＿１ａを、プロジェクタ３１０＿１ａに送信する。また、投影用動画像１７５０＿１ｂを、プロジェクタ３１０＿１ｂに送信する。更に、送信部１６１９は、投影用動画像１７５０＿３０ａを、プロジェクタ３１０＿３０ａに、投影用動画像１７５０＿３０ｂを、プロジェクタ３１０＿３０ｂにそれぞれ送信する。
【０１６５】
（３）画像処理の流れ
次に、画像処理の流れについて、図１８のフローチャートに基づいて説明する。図１８は、画像処理の流れを示すフローチャートである。
【０１６６】
ステップＳ１８０１において、画像情報取得部１６１２は、画像情報管理部３７６より動画像を取得する。
【０１６７】
ステップＳ１８０２において、対象情報取得部１６１１は、サイネージ対象情報管理部３７５より、サイネージ対象情報５００を取得する。
【０１６８】
ステップＳ１８０３において、反転部１６１３は、ステップＳ１８０１において取得した動画像に対して、左右反転処理を行う。
【０１６９】
ステップＳ１８０４において、デコード部１６１４は、反転後の動画像をデコード処理することで、静止画像群を抽出する。
【０１７０】
ステップＳ１８０５において、第１分割部１６１５は、静止画像カウンタｎに１を代入する。
【０１７１】
ステップＳ１８０６において、第１分割部１６１５は、ｎ番目の静止画像に対して、第１分割処理を行う。なお、第１分割処理のフローチャートの詳細は、後述する。
【０１７２】
ステップＳ１８０７において、第１分割部１６１５は、全ての静止画像について第１分割処理を行ったか否かを判定する。ステップＳ１８０７において、第１分割処理を行っていない静止画像があると判定した場合には（ステップＳ１８０７においてＮｏの場合には）、ステップＳ１８０８に進む。ステップＳ１８０８において、第１分割部１６１５は、静止画像カウンタｎをインクリメントした後、ステップＳ１８０６に戻る。
【０１７３】
一方、ステップＳ１８０７において、全ての静止画像について第１分割処理を行ったと判定した場合には、ステップＳ１８０９に進む。
【０１７４】
ステップＳ１８０９において、第１分割部１６１５は、各静止画像について生成した複数の分割静止画像を、同じ窓ガラスに対応する分割静止画像ごとに分けることで、窓ガラス数分の分割静止画像群を生成し、画像情報管理部３７６に格納する。また、第１分割部１６１５は、生成した分割静止画像群ごとに分割静止画像群ＩＤを付し、窓ＩＤと対応付けて画像情報６００に格納する。
【０１７５】
ステップＳ１８１０において、補正部１６１６は、分割静止画像群カウンタｍに１を代入する。
【０１７６】
ステップＳ１８１１において、補正部１６１６は、ステップＳ１８０９において生成された分割静止画像群のうち、ｍ番目の分割静止画像群を、対応する補正パラメータを用いて補正する。
【０１７７】
ステップＳ１８１２において、第２分割部１６１７は、補正後のｍ番目の分割静止画像群について、第２分割処理を行う。
【０１７８】
ステップＳ１８１３において、第２分割部１６１７は、ステップＳ１８０９において生成された全ての分割静止画像群について、補正処理及び第２分割処理を行ったか否かを判定する。
【０１７９】
ステップＳ１８１３において、補正処理及び第２分割処理を行っていない分割静止画像群があると判定した場合には（ステップＳ１８１３においてＮｏの場合には）、ステップＳ１８１４に進む。
【０１８０】
ステップＳ１８１４において、補正部１６１６は、分割静止画像群カウンタｍをインクリメントし、ステップＳ１８１１に戻る。
【０１８１】
一方、ステップＳ１８１３において、全ての分割静止画像群について、補正処理及び第２分割処理を行ったと判定した場合には（ステップＳ１８１３においてＹｅｓの場合には）、ステップＳ１８１５に進む。
【０１８２】
ステップＳ１８１５において、エンコード部１６１８は、第２分割処理された分割静止画像群を、プロジェクタ単位でエンコード処理することで、プロジェクタの数分の複数の投影用動画像（コンテンツ）を生成する。また、エンコード部１６１８は、生成した複数の投影用動画像（コンテンツ）について、生成日時を画像情報６００に格納する。
【０１８３】
ステップＳ１８１６において、送信部１６１９は、生成された複数の投影用動画像を、対応するプロジェクタにそれぞれ送信する。
【０１８４】
（４）第１分割処理の詳細
次に、第１分割処理（ステップＳ１８０６）の詳細について図１９及び図２０を用いて説明する。図１９は、第１分割処理の流れを示すフローチャートである。また、図２０は、第１分割処理の一例を示す図である。
【０１８５】
ステップＳ１９０１において、第１分割部１６１５は、ｎ番目の静止画像を読み出す。図２０において、静止画像２０００は、第１分割部１６１５により読み出されたｎ番目の静止画像であるとする。
【０１８６】
ステップＳ１９０２において、第１分割部１６１５は、フロアカウンタｆに"２"を代入する。
【０１８７】
ステップＳ１９０３において、第１分割部１６１５は、１フロアあたりの窓ガラス数をカウントする窓カウンタｇに"１"を代入する。
【０１８８】
ステップＳ１９０４において、第１分割部１６１５は、サイネージ対象情報５００より、窓ＩＤ＝"Ｗｆ０ｇ"の"位置"、"横サイズ"、"縦サイズ"を読み出す。ここでは、ｆに"２"が代入され、ｇに"１"が代入されているため、窓ＩＤ＝"Ｗ２０１"の位置（（０，０））、横サイズ（ｘ１２）、縦サイズ（ｙ１２）が読み出される。
【０１８９】
ステップＳ１９０５において、第１分割部１６１５は、ステップＳ１９０４において読み出した位置、横サイズ、縦サイズを、静止画像２０００と所定領域５１０との対比に応じて、静止画像２０００上の画素に変換する。
【０１９０】
図２０に示すように、本実施形態において、静止画像２０００は、横４０００画素、縦８０００画素で構成されているものとする。この場合、位置＝"（０，０）"に対応する静止画像２０００上の画素は、位置＝"（０，０）"の画素となる。
【０１９１】
また、横サイズ（ｘ１２）に対応する静止画像２０００上の画素は、（ｘ１２／ｘ５２）×４０００により算出される画素となる。更に、縦サイズ（ｙ１２）に対応する静止画像２０００上の画素は、（ｙ１２／ｙ６２）×８０００により算出される画素となる。
【０１９２】
ステップＳ１９０６において、第１分割部１６１５は、ステップＳ１９０５において算出された画素に基づいて特定される矩形領域２００１を、静止画像２０００より切り出し、分割静止画像を生成する。
【０１９３】
ステップＳ１９０７において、第１分割部１６１５は、ｆフロアの全ての窓ガラスについて、第１分割処理を行ったか否かを判定する。ステップＳ１９０７において、第１分割処理を行っていない窓ガラスがあると判定した場合には（ステップＳ１９０７においてＮｏの場合には）、ステップＳ１９０８に進む。
【０１９４】
ステップＳ１９０８において、第１分割部１６１５は、窓カウンタｇをインクリメントした後、ステップＳ１９０４に戻る。これにより、ｇには"２"が代入されることになる。
【０１９５】
ステップＳ１９０４において、第１分割部１６１５は、サイネージ対象情報５００より、窓ＩＤ＝"Ｗ２０２"の位置（（ｘ２１，０））、横サイズ（ｘ２２−ｘ２１）、縦サイズ（ｙ１２）を読み出す。
【０１９６】
ステップＳ１９０５において、第１分割部１６１５は、ステップＳ１９０４において読み出した位置、横サイズ、縦サイズを静止画像２０００上の画素に変換する。
【０１９７】
図２０に示すように、位置（（ｘ２１，０））に対応する静止画像２０００上の画素は、（ｘ２１／ｘ５２）×４０００により算出される画素となる。また、横サイズ（ｘ２２−ｘ２１）に対応する静止画像２０００上の画素は、（ｘ２２／ｘ５２）×４０００により算出される画素となる。更に、縦サイズ（ｙ１２）に対応する静止画像２０００上の画素は、（ｙ１２／ｙ６２）×８０００により算出される画素となる。
【０１９８】
ステップＳ１９０６において、第１分割部１６１５は、ステップＳ１９０５において算出された画素に基づいて特定される矩形領域２００２を、静止画像２０００より切り出し、分割静止画像を生成する。
【０１９９】
ステップＳ１９０７において、第１分割部１６１５は、ｆフロアの全ての窓ガラスについて、第１分割処理を行ったか否かを判定する。ステップＳ１９０７において、第１分割処理を行っていない窓ガラスがあると判定した場合には（ステップＳ１９０７においてＮｏの場合には）、ステップＳ１９０８に進む。以降、ステップＳ１９０６において、矩形領域２００５が切り出されるまで、ステップＳ１９０４〜Ｓ１９０６の処理が繰り返される。
【０２００】
ステップＳ１９０７において、ｆフロアの全ての窓ガラスについて第１分割処理を行ったと判定した場合には（ステップＳ１９０７においてＹｅｓの場合には）、ステップＳ１９０９に進む。
【０２０１】
ステップＳ１９０９において、第１分割部１６１５は、全てのフロアについて第１分割処理を行ったか否かを判定する。ステップＳ１９０９において、第１分割処理を行っていないフロアがあると判定した場合には（ステップＳ１９０９においてＮｏの場合には）、ステップＳ１９１０に進む。
【０２０２】
ステップＳ１９１０において、第１分割部１６１５は、フロアカウンタｆをインクリメントした後、ステップＳ１９０３に戻る。以降、フロアカウンタｆ＝７において、矩形領域２０３０が切り出されるまで、ステップＳ１９０４〜Ｓ１９０７の処理が繰り返される。
【０２０３】
ステップＳ１９０９において、全てのフロアについて第１分割処理を行ったと判定した場合には（ステップＳ１９０９においてＹｅｓの場合には）、図１８のステップＳ１８０７に戻る。
【０２０４】
＜９．サイネージ制御処理の詳細＞
次に、画像投影システム３００におけるサイネージ制御処理（ステップＳ８０３）の詳細について説明する。
【０２０５】
（１）サイネージ制御部の機能構成
はじめに、サイネージ制御処理を実行する、情報処理装置３７０のサイネージ制御部３７３の機能構成について説明する。図２１は、情報処理装置のサイネージ制御部の機能構成を示す図である。
【０２０６】
図２１に示すようにサイネージ制御部３７３は、スケジュール管理部２１０１、同期部２１０２、開始制御部２１０３、終了制御部２１０４を有する。
【０２０７】
スケジュール管理部２１０１は、スケジュール及びコンテンツ（投影用動画像群）を操作する操作手段として機能し、スケジュール管理処理を実行する。
【０２０８】
具体的には、スケジュール管理部２１０１は、スケジュール情報を生成し、スケジュール情報管理部３７７に格納する。また、スケジュール管理部２１０１は、生成したスケジュール情報の編集及び削除を行う。
【０２０９】
また、スケジュール管理部２１０１は、プロジェクタ３１０＿１ａ〜３１０＿３０ｂに対して、選択されたコンテンツにより特定される投影用動画像群に含まれる各投影用動画像についての削除指示を送信する。更に、スケジュール管理部２１０１は、削除指示した各投影用動画像がプロジェクタ３１０＿１ａ〜３１０＿３０ｂにより削除された場合に、削除指示した各投影用動画像に関する情報について、画像情報６００を書き換える。
【０２１０】
同期部２１０２は、時刻情報を出力する。また、同期部２１０２は、プロジェクタ３１０＿１ａ〜３１０＿３０ｂと、情報処理装置３７０との間の時刻を同期させる。具体的には、時刻サーバ３６０より時刻情報を受信し、出力する時刻情報を修正したうえで、プロジェクタ３１０＿１ａ〜３１０＿３０ｂに対して、修正した時刻情報を送信する。プロジェクタ３１０＿１ａ〜３１０＿３０ｂは、同期部２１０２より時刻情報を受信すると、内部で管理している時刻情報を修正する。これにより、同期部２１０２は、プロジェクタ３１０＿１ａ〜３１０＿３０ｂと、情報処理装置３７０との間で、正確な時刻情報に基づいて時刻を同期させることができる。
【０２１１】
開始制御部２１０３は、スケジュール情報管理部３７７に格納されたスケジュール情報を読み出し、投影開始時刻を識別する。また、開始制御部２１０３は、識別した投影開始時刻に基づいて、各サイネージ装置に対して、投影開始時の動作の指示を送信する。
【０２１２】
終了制御部２１０４は、スケジュール情報管理部３７７に格納されたスケジュール情報を読み出し、投影終了時刻を識別する。また、終了制御部２１０４は、識別した投影終了時刻に基づいて、各サイネージ装置に対して、投影終了時の動作の指示を送信する。
【０２１３】
（２）サイネージ制御処理の流れ
次に、サイネージ制御部３７３によるサイネージ制御処理（ステップＳ８０３）の流れについて説明する。図２２は、サイネージ制御処理の流れを示すフローチャートである。画像処理部３７２による画像処理が完了することで、図２２に示すサイネージ制御処理が実行可能となる。
【０２１４】
ステップＳ２２０１において、スケジュール管理部２１０１は、スケジュール情報の生成、編集及び削除、コンテンツの削除等を含むスケジュール管理処理を行う。なお、スケジュール管理処理（ステップＳ２２０１）の詳細は後述する。
【０２１５】
ステップＳ２２０２において、開始制御部２１０３は、スケジュール管理処理が行われることでスケジュール情報管理部３７７に格納されたスケジュール情報（例えば、スケジュール情報７１０）を読み出し、投影開始時刻を識別する。
【０２１６】
ステップＳ２２０３において、開始制御部２１０３は、識別した投影開始時刻に応じたタイミングで、プロジェクタ３１０＿１ａ〜３１０＿３０ｂに対して、ランプＯＮ指示を送信する。これにより、プロジェクタ３１０＿１ａ〜３１０＿３０ｂそれぞれのランプがＯＮ状態となる。
【０２１７】
ステップＳ２２０４において、同期部２１０２は、時刻サーバ３６０より時刻情報を受信し、情報処理装置３７０内で管理している時刻情報を修正するとともに、プロジェクタ３１０＿１ａ〜３１０＿３０ｂに対して、修正した時刻情報を送信する。
【０２１８】
ステップＳ２２０５において、開始制御部２１０３は、識別した投影開始時刻に応じたタイミングで、プロジェクタ３１０＿１ａ〜３１０＿３０ｂに対して、スケジュール情報において指定されたコンテンツの各投影用動画像を特定して、投影開始指示を送信する。これにより、プロジェクタ３１０＿１ａ〜３１０＿３０ｂでは、特定された投影用動画像の投影を開始するための処理が行われる。
【０２１９】
ステップＳ２２０６において、開始制御部２１０３は、識別した投影開始時刻に応じたタイミングで、電飾装置１４０＿１〜１４０＿６に対して、電飾ＯＦＦ指示を送信する。これにより、電飾装置１４０＿１〜１４０＿６がＯＦＦ状態となる。
【０２２０】
ステップＳ２２０７において、開始制御部２１０３は、識別した投影開始時刻に応じたタイミングで、電動スクリーン３３０＿１〜３３０＿３０に対して、スクリーンＯＮ指示を送信する。これにより、電動スクリーン３３０＿１〜３３０＿３０それぞれがＯＮ状態となり、光透過面が半透明の状態になる。以上の処理により、１のスケジュール情報に応じたデジタルサイネージが開始される。
【０２２１】
投影が開始されると、ステップＳ２２０８において、終了制御部２１０４は、スケジュール情報管理部３７７に格納されたスケジュール情報（例えば、スケジュール情報７１０）を読み出す。また、終了制御部２１０４は、読み出したスケジュール情報に基づいて投影終了時刻を識別し、現在時刻が投影終了時刻に近づいたか否かを判定する。
【０２２２】
ステップＳ２２０８において、投影終了時刻に近づいていないと判定した場合には（ステップＳ２２０８においてＮｏの場合には）、投影終了時刻に近づいたと判定するまで待機する。
【０２２３】
一方、ステップＳ２２０８において、投影終了時刻に近づいたと判定した場合には（ステップＳ２２０８においてＹｅｓの場合には）、ステップＳ２２０９に進む。
【０２２４】
ステップＳ２２０９において、終了制御部２１０４は、識別した投影終了時刻に応じたタイミングで、プロジェクタ３１０＿１ａ〜３１０＿３０ｂに対して、投影終了指示を送信する。これにより、プロジェクタ３１０＿１ａ〜３１０＿３０ｂでは、投影用動画像の投影を終了する。
【０２２５】
ステップＳ２２１０において、終了制御部２１０４は、識別した投影終了時刻に応じたタイミングで、電動スクリーン３３０＿１〜３３０＿３０に対して、スクリーンＯＦＦ指示を送信する。これにより、電動スクリーン３３０＿１〜３３０＿３０それぞれがＯＦＦ状態となり、光透過面が透明の状態になる。
【０２２６】
ステップＳ２２１１において、終了制御部２１０４は、識別した投影終了時刻に応じたタイミングで、電飾装置１４０＿１〜１４０＿６に対して、電飾ＯＮ指示を送信する。これにより、電飾装置１４０＿１〜１４０＿６がＯＮ状態となる。
【０２２７】
ステップＳ２２１２において、終了制御部２１０４は、識別した投影終了時刻に応じたタイミングで、プロジェクタ３１０＿１ａ〜３１０＿３０ｂに対して、ランプＯＦＦ指示を送信する。これにより、プロジェクタ３１０＿１ａ〜３１０＿３０ｂそれぞれのランプがＯＦＦ状態となる。以上の処理により、１のスケジュール情報に応じたデジタルサイネージが終了する。
【０２２８】
ステップＳ２２１３において、開始制御部２１０３は、スケジュール情報管理部３７７に格納されている全てのスケジュール情報について、ステップＳ２２０２からステップＳ２２１２の処理を実行したか否かを判定する。ステップＳ２２１３において、ステップＳ２２０２からステップＳ２２１２の処理を実行していないスケジュール情報があると判定した場合には（ステップＳ２２１３においてＮｏの場合には）、ステップＳ２２０２に戻る。
【０２２９】
一方、ステップＳ２２１３において全てのスケジュール情報について、ステップＳ２２０２からステップＳ２２１２の処理を実行したと判定した場合には（ステップＳ２２１３においてＹｅｓの場合には）、サイネージ制御処理を終了する。
【０２３０】
（３）スケジュール管理処理の詳細
次に、スケジュール管理処理（ステップＳ２２０１）の詳細について、図２４及び図２５を参照しながら、図２３を用いて説明する。なお、ここでは、スケジュール情報管理部３７７に格納されるスケジュール情報のうち、主に、プロジェクタ３１０＿１ａ〜３１０＿３０ｂによる投影に関するスケジュール（投影スケジュール）についてのスケジュール管理処理について説明する。
【０２３１】
図２３は、スケジュール管理処理の流れを示すフローチャートである。投影スケジュールについて、操作者１０００によりスケジュール管理部２１０１の起動指示が入力されることで、図２３に示すフローチャートが実行される。
【０２３２】
ステップＳ２３０１において、スケジュール管理部２１０１は、操作者１０００により、投影スケジュールについて、スケジュール管理部２１０１の起動停止指示が入力されたか否かを判定する。ステップＳ２３０１において起動停止指示が入力されていないと判定した場合には（ステップＳ２３０１においてＮｏの場合には）、ステップＳ２３０２に進む。
【０２３３】
ステップＳ２３０２において、スケジュール管理部２１０１は、スケジュール情報管理部３７７に格納されたスケジュール情報７１０〜７３０等にそれぞれ含まれる投影スケジュールを識別するための識別子（例えば、ファイル名）を読み出す。
【０２３４】
ステップＳ２３０３において、スケジュール管理部２１０１は、表示部４０５に、投影スケジュール画面を表示し、読み出した投影スケジュールのファイル名を一覧表示する。
【０２３５】
ステップＳ２３０４において、スケジュール管理部２１０１は、操作者１０００により新規登録指示が入力されたか否かを判定する。ステップＳ２３０４において新規登録指示が入力されたと判定された場合には（ステップＳ２３０４においてＹｅｓの場合には）、ステップＳ２３０５に進む。
【０２３６】
ステップＳ２３０５において、スケジュール管理部２１０１は、表示部４０５に新規登録画面を表示する。図２４は、投影スケジュール画面及び新規登録画面の一例を示す図である。
【０２３７】
図２４（ａ）に示すように、投影スケジュール画面２４００には、新規登録ボタン２４０１及び投影スケジュール一覧２４０２が含まれる。図２４（ａ）の例は、スケジュール情報管理部３７７にスケジュール情報７１０〜７３０等が格納される前の状態を示している。このため、投影スケジュール一覧２４０２には、何も表示されない。
【０２３８】
投影スケジュール画面２４００において、操作者１０００により、新規登録ボタン２４０１が押圧されることで、新規登録指示が入力されると、表示部４０５には、図２４（ｂ）に示す新規登録画面２４１０が表示される。
【０２３９】
図２４（ｂ）に示すように、新規登録画面２４１０には、名前入力欄２４１１、開始時刻及び終了時刻入力欄２４１２、曜日指定欄２４１３、コンテンツ表示欄２４１４が含まれる。
【０２４０】
名前入力欄２４１１には、投影スケジュールのファイル名が入力される。開始時刻及び終了時刻入力欄２４１２には、プロジェクタ３１０＿１ａ〜３１０＿３０ｂが各投影用動画像の投影を開始する投影開始時刻と、各投影用動画像の投影を終了する投影終了時刻とが入力される。曜日指定欄２４１３には、各投影用動画像を投影する曜日が指定される。コンテンツ表示欄２４１４には、プロジェクタ３１０＿１ａ〜３１０＿３０ｂにより投影される各投影用動画像を特定するコンテンツのコンテンツ名が表示される。
【０２４１】
新規登録画面２４１０が表示された状態で、操作者１０００は、名前入力欄２４１１、開始時刻及び終了時刻入力欄２４１２、曜日指定欄２４１３、コンテンツ表示欄２４１４の各欄への入力を行う。
【０２４２】
ステップＳ２３０６において、スケジュール管理部２１０１は、操作者１０００によるこれらの入力を受け付ける新規登録処理を行う。
【０２４３】
その後、新規登録画面２４１０において、操作者１０００が登録ボタン２４１５を押圧することで、新規登録処理が完了する。これにより、スケジュール管理部２１０１は、スケジュール情報管理部３７７のスケジュール情報に、新たに生成した投影スケジュールを格納し、ステップＳ２３０１に戻る。これにより、投影するコンテンツや投影する時間帯等が投影予定として指定された投影スケジュールが格納される。なお、新規登録画面２４１０において、操作者１０００が戻るボタン２４１６を押圧した場合、スケジュール管理部２１０１は、投影スケジュールを格納することなく、ステップＳ２３０１に戻る。
【０２４４】
一方、ステップＳ２３０４において新規登録指示が入力されなかったと判定された場合には（ステップＳ２３０４においてＮｏの場合には）、ステップＳ２３０７に進む。
【０２４５】
ステップＳ２３０７において、スケジュール管理部２１０１は、操作者１０００により投影スケジュールが指定され、かつ、指定された投影スケジュールの編集指示が入力されたかを判定する。ステップＳ２３０７において、投影スケジュールが指定され、かつ、指定された投影スケジュールの編集指示が入力されたと判定した場合には（ステップＳ２３０７においてＹｅｓの場合には）、ステップＳ２３０８に進む。
【０２４６】
ステップＳ２３０８において、スケジュール管理部２１０１は、スケジュール編集画面を表示する。図２５は、投影スケジュール画面及びスケジュール編集画面の一例を示す図である。
【０２４７】
図２５（ａ）に示すように、投影スケジュール画面２４００の投影スケジュール一覧２４０２には、スケジュール情報管理部３７７に格納されたスケジュール情報７１０〜７３０等に含まれる投影スケジュールのファイル名が表示される。図２５（ａ）の例は、投影スケジュールのファイル名として、"スケジュール＿Ｃ１００"〜"スケジュール＿Ｃ１０３"が表示された様子を示している。
【０２４８】
投影スケジュール一覧２４０２から、操作者１０００が１の投影スケジュールのファイル名を指定し、編集ボタン２５０２を押圧すると、スケジュール管理部２１０１では、投影スケジュールの編集指示が入力されたと判定する。ここでは、図２５（ａ）に示すように、投影スケジュール一覧２４０２において、操作者１０００がファイル名＝"スケジュール＿Ｃ１０２"を指定し、編集ボタン２５０２を押圧したとする。これにより、表示部４０５には、図２５（ｂ）に示すスケジュール編集画面２５１０が表示される。
【０２４９】
図２５（ｂ）に示すように、スケジュール編集画面２５１０には、名前入力欄２４１１、開始時刻及び終了時刻入力欄２４１２、曜日指定欄２４１３、コンテンツ表示欄２４１４が含まれる。
【０２５０】
名前入力欄２４１１には、指定された投影スケジュールのファイル名（"スケジュール＿Ｃ１０２"）が表示される。開始時刻及び終了時刻入力欄２４１２には、指定された投影スケジュールの投影開始時刻及び投影終了時刻が表示される。曜日指定欄２４１３には、指定された投影スケジュールにおいて指定された曜日が表示される。コンテンツ表示欄２４１４には、指定された投影スケジュールにおいて投影予定のコンテンツのコンテンツ名（識別子）が表示される。
【０２５１】
ステップＳ２３０９において、操作者１０００は、表示されたスケジュール編集画面２５１０の各欄を編集することで、スケジュール編集処理を行う。
【０２５２】
その後、操作者１０００が登録ボタン２４１５を押圧することで、スケジュール編集処理が完了する。これにより、スケジュール管理部２１０１は、スケジュール情報管理部３７７のスケジュール情報に、編集後の投影スケジュールを格納し、ステップＳ２３０１に戻る。なお、スケジュール編集画面２５１０において、操作者１０００が戻るボタン２４１６を押圧した場合、スケジュール管理部２１０１は、編集後の投影スケジュールを格納することなく、ステップＳ２３０１に戻る。
【０２５３】
一方、ステップＳ２３０７において指定された投影スケジュールの編集指示が入力されなかったと判定した場合には（ステップＳ２３０７においてＮｏの場合には）、ステップＳ２３１０に進む。
【０２５４】
ステップＳ２３１０において、スケジュール管理部２１０１は、操作者１０００により、投影スケジュールが指定され、かつ、指定された投影スケジュールの削除指示が入力されたかを判定する。ステップＳ２３１０において、投影スケジュールが指定され、かつ、指定された投影スケジュールの削除指示が入力されたと判定した場合には（ステップＳ２３１０においてＹｅｓの場合には）、ステップＳ２３１１に進む。
【０２５５】
ステップＳ２３１１において、スケジュール管理部２１０１は、スケジュール削除処理を行い、指定された投影スケジュールを、スケジュール情報管理部３７７のスケジュール情報から削除した後、ステップＳ２３０１に戻る。なお、スケジュール削除処理（ステップＳ２３１１）の詳細は、後述する。
【０２５６】
一方、ステップＳ２３１０において、指定された投影スケジュールの削除指示が入力されなかったと判定した場合には（ステップＳ２３１０においてＮｏの場合には）、ステップＳ２３１２に進む。
【０２５７】
ステップＳ２３１２において、スケジュール管理部２１０１は、コンテンツの削除指示が入力されたか否かを判定する。ステップＳ２３１２において、コンテンツの削除指示が入力されたと判定した場合には（ステップＳ２３１２においてＹｅｓの場合には）、ステップＳ２３１３に進む。
【０２５８】
ステップＳ２３１３において、スケジュール管理部２１０１は、コンテンツ削除処理を行い、選択されたコンテンツ名のコンテンツにより特定される投影用動画像を削除するよう、プロジェクタ３１０＿１ａ〜３１０＿３０ｂに対して削除指示を送信する。また、スケジュール管理部２１０１は、投影用動画像の削除に伴って、画像情報６００を書き換える。ステップＳ２３１３のコンテンツ削除処理が完了すると、ステップＳ２３０１に戻る。なお、コンテンツ削除処理（ステップＳ２３１３）の詳細は後述する。
【０２５９】
一方、ステップＳ２３１２において、コンテンツの削除指示が入力されなかったと判定した場合には（ステップＳ２３１２においてＮｏの場合には）、直接、ステップＳ２３０１に戻る。
【０２６０】
以降、ステップＳ２３０１において起動停止指示が入力されたと判定されるまで、ステップＳ２３０２〜Ｓ２３１３の処理を繰り返す。そして、ステップＳ２３０１において、操作者１０００により、スケジュール管理部２１０１に対する起動停止指示が入力されたと判定した場合には、スケジュール管理処理を終了する。
【０２６１】
（４）スケジュール削除処理の詳細
次に、スケジュール削除処理（ステップＳ２３１１）の詳細について、図２６及び図２７を用いて説明する。図２６は、スケジュール削除処理の流れを示すフローチャートである。また、図２７は、投影スケジュール画面においてスケジュール削除処理を行った様子を示す図である。
【０２６２】
図２７（ａ）に示すように、投影スケジュール画面２４００の投影スケジュール一覧２４０２には、スケジュール情報管理部３７７に格納されたスケジュール情報７１０〜７３０等に含まれる投影スケジュールのファイル名が表示される。図２７（ａ）の例は、投影スケジュールのファイル名として、"スケジュール＿Ｃ１００"〜"スケジュール＿Ｃ１０３"が表示された様子を示している。
【０２６３】
投影スケジュール一覧２４０２から、操作者１０００が１の投影スケジュールのファイル名を指定し、削除ボタン２７０１を押圧すると、スケジュール管理部２１０１では、指定された投影スケジュールの削除指示が入力されたと判定する。ここでは、投影スケジュール一覧２４０２において、操作者１０００がファイル名＝"スケジュール＿Ｃ１０３"を指定した後、削除ボタン２７０１を押圧したとする。
【０２６４】
これにより、スケジュール管理部２１０１では、図２６のスケジュール削除処理を実行する。具体的には、ステップＳ２６０１において、スケジュール管理部２１０１は、指定された投影スケジュールが、現在、実行中であるか否かを判定する。スケジュール管理部２１０１は、現在時刻が、投影スケジュールの投影開始時刻と投影終了時刻との間の時間帯であるか否かに基づいて、投影スケジュール（"スケジュール＿Ｃ１０３"）が実行中であるか否かを判定する。
【０２６５】
図２６のステップＳ２６０１において、実行中であると判定した場合には（ステップＳＳ２６０１においてＹｅｓの場合には）、現在時刻が、投影終了時刻を過ぎるまで待機する。一方、ステップＳ２６０１において、実行中でないと判定した場合には（ステップＳ２６０１においてＮｏの場合には）、ステップＳ２６０２に進む。
【０２６６】
ステップＳ２６０２において、スケジュール管理部２１０１は、指定された投影スケジュール（"スケジュール＿Ｃ１０３"）を、スケジュール情報管理部３７７のスケジュール情報から削除した後、図２３のステップＳ２３０１に戻る。このように、投影スケジュールが実行中でないことを条件に投影スケジュールを削除することで、サイネージ制御処理の誤動作を回避することができる。
【０２６７】
図２７（ｂ）は、図２６のスケジュール削除処理が実行され、指定された投影スケジュールが削除された後の投影スケジュール画面２４００を示している。図２７（ｂ）に示すように、投影スケジュール画面２４００の投影スケジュール一覧２４０２からは、ファイル名＝"スケジュール＿Ｃ１０３"が削除される。
【０２６８】
（５）コンテンツ削除処理の詳細
次に、コンテンツ削除処理（ステップＳ２３１３）の詳細について、図２９を参照しながら図２８を用いて説明する。図２８は、コンテンツ削除処理の流れを示すフローチャートである。
【０２６９】
図２８のステップＳ２８０１において、スケジュール管理部２１０１は、画像情報管理部３７６に格納されているコンテンツのうち、投影スケジュールにおいて、投影予定のコンテンツとして指定されていないコンテンツを検索する。なお、ここでは、画像情報管理部３７６に、既に"コンテンツ１００"〜"コンテンツ１０５"が格納されているものとする（図６参照）。
【０２７０】
図７に示したように、"コンテンツ１００"は、スケジュール情報７１０〜７３０それぞれの投影スケジュールにおいて、投影予定のコンテンツとして指定されている。また、"コンテンツ１０１"は、スケジュール情報７２０の投影スケジュールにおいて、投影予定のコンテンツとして指定されている。更に、"コンテンツ１０２"は、スケジュール情報７３０の投影スケジュールにおいて、投影予定のコンテンツとして指定されている。
【０２７１】
一方、"コンテンツ１０３"〜"コンテンツ１０５"は、スケジュール情報７１０〜７３０のいずれの投影スケジュールにおいても、投影予定のコンテンツとして指定されていない。したがって、スケジュール管理部２１０１は、未使用コンテンツのコンテンツ名として、コンテンツ名＝"コンテンツ１０３"〜"コンテンツ１０５"を得る。
【０２７２】
ステップＳ２８０２において、スケジュール管理部２１０１は、未使用コンテンツ一覧画面を表示し、ステップＳ２８０１において得た未使用コンテンツのコンテンツ名を選択可能に表示する。
【０２７３】
図２９は、投影スケジュール画面及び未使用コンテンツ一覧画面の一例を示す図である。図２９（ａ）に示す投影スケジュール画面２４００において、未使用コンテンツ一覧ボタン２９０１が押圧されることで、スケジュール管理部２１０１は、表示部４０５に、未使用コンテンツ一覧画面を表示する。
【０２７４】
図２９（ｂ）に示すように、未使用コンテンツ一覧画面２９００は、未使用コンテンツ一覧２９０２を含む。図２９（ｂ）の例は、未使用コンテンツとして、コンテンツ名＝"コンテンツ１０３"、"コンテンツ１０４"、"コンテンツ１０５"が表示された様子を示している。
【０２７５】
未使用コンテンツ一覧画面２９００には、削除ボタン２９０３と、戻るボタン２９０４とが含まれる。操作者１０００は、未使用コンテンツ一覧２９０２に表示された未使用コンテンツのうちのいずれかのコンテンツのコンテンツ名を選択して、削除ボタン２９０３を押圧することで、当該コンテンツについての削除指示を入力する。なお、戻るボタン２９０４が押圧された場合、スケジュール管理部２１０１は、削除指示が入力されなかったと判定し、図２９（ａ）の投影スケジュール画面２４００に戻る。
【０２７６】
ステップＳ２８０３において、スケジュール管理部２１０１は、操作者１０００によりコンテンツのコンテンツ名が選択され、かつ、削除指示が入力されたかを判定する。戻るボタン２９０４が押圧された場合、ステップＳ２８０３では、削除指示が入力されなかったと判定し（ステップＳ２８０３においてＮｏ）、図２３のステップＳ２３０１に戻る。
【０２７７】
一方、いずれかのコンテンツのコンテンツ名が選択され、かつ、削除ボタン２９０３が押圧された場合、ステップＳ２８０３では、選択されたコンテンツ名のコンテンツについての削除指示が入力された（ステップＳ２８０３においてＹｅｓ）と判定する。この場合、スケジュール管理部２１０１は、ステップＳ２８０４に進む。
【０２７８】
ステップＳ２８０４において、スケジュール管理部２１０１は、選択されたコンテンツ名に基づいて投影用動画像群を特定し、特定した投影用動画像群に含まれる各投影用動画像についての削除指示を、プロジェクタ３１０＿１ａ〜３１０＿３０ｂに送信する。
【０２７９】
これにより、プロジェクタ３１０＿１ａ〜３１０＿３０ｂでは、接続された外部メモリ３２０＿１ａ〜３２０＿３０ｂから、削除指示された投影用動画像を削除する。投影用動画像の削除が完了すると、プロジェクタ３１０＿１ａ〜３１０＿３０ｂでは、投影用動画像の削除が完了したことを、情報処理装置３７０に通知する。
【０２８０】
ステップＳ２８０５において、スケジュール管理部２１０１は、プロジェクタ３１０＿１ａ〜３１０＿３０ｂから、投影用動画像の削除が完了したことを示す通知を受信したか否かを判定する。
【０２８１】
ステップＳ２８０５において投影用動画像の削除が完了したことを示す通知を受信しなかったと判定した場合には（ステップＳ２８０５においてＮｏの場合には）、図２３のステップＳ２３０１に戻る。
【０２８２】
一方、ステップＳ２８０５において投影用動画像の削除が完了したことを示す通知を受信したと判定した場合には（ステップＳ２８０５においてＹｅｓの場合には）、ステップＳ２８０６に進む。
【０２８３】
ステップＳ２８０６において、スケジュール管理部２１０１は、削除指示した各投影用動画像に関する情報を、画像情報６００から削除する。
【０２８４】
ステップＳ２８０７において、スケジュール管理部２１０１は、画像情報管理部３７６から、削除指示した各投影用動画像を生成した際に生成された各分割静止画像群を削除する。
【０２８５】
このように、スケジュール管理部２１０１では、投影スケジュールにおいて投影予定のコンテンツとして指定されているコンテンツについては、未使用コンテンツ一覧画面２９００に、コンテンツのコンテンツ名を表示しない（非表示とする）。これにより、未使用コンテンツ一覧画面２９００において、操作者１０００が誤って削除ボタン２９０３を押圧した場合であっても、投影予定のコンテンツが削除されるといった事態を回避することができる。
【０２８６】
一方で、操作者１０００が、未使用コンテンツ一覧画面２９００において、表示されたコンテンツのコンテンツ名を選択して削除ボタン２９０３を押圧すると、スケジュール管理部２１０１は、選択されたコンテンツにより特定される投影用動画像群を削除する。つまり、操作者１０００は、プロジェクタ３１０＿１ａ〜３１０＿３０ｂそれぞれに、削除指示を送信する操作を行うことなく、外部メモリ３２０＿１ａ〜３２０＿３０ｂから、投影用動画像を削除することができる。この結果、生成される投影用動画像の数が膨大であっても、簡単な操作で各投影用動画像を削除することが可能となる。
【０２８７】
＜１０．まとめ＞
以上の説明から明らかなように、本実施形態に係る画像投影システム３００では、
・広告主より提供される動画像を反転処理する。また、建物の外面の所定領域に含まれる複数の窓ガラスの位置及び大きさに基づいて、該反転処理した動画像より抽出される各フレームの静止画像を分割し、それぞれの静止画像から複数の分割静止画像を生成する。
・同じ窓ガラスに対応する各フレームの分割静止画像を用いて、窓ガラス数分の分割静止画像群を生成し、画像情報管理部に格納する。
・建物の外面の所定領域に含まれる複数の窓ガラスそれぞれに対応する位置に配置されたプロジェクタを用いて校正処理を行い、校正処理の結果に基づいて生成した補正パラメータを用いて、分割静止画像群を補正する。
・補正した分割静止画像群を、更に、１つの窓ガラスに対応する位置に配置されたプロジェクタの数に応じて分割し、エンコード処理することで、プロジェクタ単位の投影用動画像群を生成する。
・生成した投影用動画像群の各投影用動画像を、対応するプロジェクタを介して、スケジュール情報に応じたタイミングで複数の窓ガラスに対応する電動スクリーンそれぞれに投影する。
【０２８８】
これにより、複数の光透過面を組み合わせたデジタルサイネージを実現することが可能になる。
【０２８９】
また、本実施形態に係る画像投影システム３００では、
・操作者がコンテンツを選択して削除ボタンを押圧した場合、選択されたコンテンツのコンテンツにより特定される各投影用動画像を削除するための削除指示を、各プロジェクタに送信する。
・コンテンツを選択して削除ボタンを押圧することが可能な画面を表示するにあたり、投影スケジュールを参照する。そして、投影予定のコンテンツとして指定されているコンテンツについては、コンテンツ名を非表示とし、投影予定のコンテンツとして、いずれの投影スケジュールにおいても指定されていないコンテンツについて、コンテンツ名を表示する。
【０２９０】
これにより、投影用動画像の削除操作について高い操作性が維持できる。また、投影予定のコンテンツとして指定されているコンテンツについては、画面に表示されないため、誤操作により、削除されるといった事態を回避することが可能になる。
【０２９１】
つまり、本実施形態に係る画像投影システム３００によれば、複数の光透過面を組み合わせたデジタルサイネージにおいて、誤操作を防止することが可能になる。
【０２９２】
［その他の実施形態］
上記第１の実施形態では、スケジュール管理処理において、投影スケジュールの新規登録、編集、削除の各処理の流れ及び各処理実行時の画面について説明した。しかしながら、スクリーンスケジュールの新規登録、編集、削除の各処理の流れ及び各処理実行時の画面についても同様である。また、電飾スケジュールの新規登録、編集、削除の各処理の流れ及び各処理実行時の画面についても同様である。
【０２９３】
また、上記第１の実施形態では、投影スケジュールにて投影予定のコンテンツとして指定されているコンテンツのコンテンツ名を、未使用コンテンツ一覧２９０２において非表示とすることで、当該コンテンツについての削除指示の入力を制限した。
【０２９４】
しかしながら、当該コンテンツについての削除指示の入力の制限方法はこれに限定されない。例えば、投影スケジュールにて投影予定のコンテンツとして指定されているコンテンツのコンテンツ名を、未使用コンテンツ一覧２９０２において、選択できないように表示してもよい。あるいは、投影スケジュールにて投影予定のコンテンツとして指定されているコンテンツのコンテンツ名が選択された場合には、削除ボタン２９０３の押圧を受け付けないように構成してもよい。つまり、投影スケジュールにて投影予定のコンテンツとして指定されていないコンテンツについての削除指示の入力を可能にし、投影スケジュールにて投影予定のコンテンツとして指定されているコンテンツについての削除指示の入力が制限される構成であればよい。
【０２９５】
また、上記第１の実施形態では、情報処理装置３７０が、校正部３７１、画像処理部３７２、サイネージ制御部３７３を有するものとして説明したが、これらの機能の一部は、他のサイネージ装置において実現してもよい。
【０２９６】
また、上記第１の実施形態では、建物１１０の外面の所定領域に取り付けられた窓ガラスを投影対象として説明したが、投影対象は、窓ガラスに限定されず、他の光透過面であってもよい。また、光透過面は、建物１１０の外面の所定領域に取り付けられたものに限定されず、建物１１０内部の所定領域に取り付けられた光透過面であってもよいし、また、建物以外の物に取り付けられた光透過面であってもよい。
【０２９７】
また、上記第１の実施形態では、サイネージ装置が、プロジェクタ（投影装置）、電動スクリーン、電飾装置を指すものとして説明したが、サイネージ装置はこれに限定されない。例えば、建物１１０の内部の照明装置や、建物１１０の外部から建物１１０の壁面や看板等を照らす照明装置、建物１１０に設置されたオブジェ、看板等の、既に建物１１０に設置されている装置が、サイネージ装置に含まれていてもよい。
【０２９８】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０２９９】
１１０                            ：建物
１２０                            ：窓ガラス群
１３０                            ：投影用動画像群
３１０＿１ａ〜３１０＿３０ｂ      ：プロジェクタ
３２０＿１ａ〜３２０＿３０ｂ      ：外部メモリ
３３０＿１〜３３０＿３０          ：電動スクリーン
３４０                            ：制御装置
３６０                            ：時刻サーバ
３７０                            ：情報処理装置
３７１                            ：校正部
３７２                            ：画像処理部
３７３                            ：サイネージ制御部
３７５                            ：サイネージ対象情報管理部
３７６                            ：画像情報管理部
３７７                            ：スケジュール情報管理部
５００                            ：サイネージ対象情報
５１０                            ：所定領域
６００                            ：画像情報
７１０〜７３０                    ：スケジュール情報
２１０１                          ：スケジュール管理部
２１０２                          ：同期部
２１０３                          ：開始制御部
２１０４                          ：終了制御部
２４００                          ：投影スケジュール画面
２４０２                          ：投影スケジュール一覧
２４１０                          ：新規登録画面
２５１０                          ：スケジュール編集画面
２７０１                          ：削除ボタン
２９００                          ：未使用コンテンツ一覧画面
２９０２                          ：未使用コンテンツ一覧
２９０３                          ：削除ボタン
【先行技術文献】
【特許文献】
【０３００】
【特許文献１】特開２０１５−２６９９２号公報
【特許文献２】特開２０１６−８５４３５号公報
【図１】
2018036480.tif 000003
【図２】
2018036480.tif 000004
【図３】
2018036480.tif 000005
【図４】
2018036480.tif 000006
【図５】
2018036480.tif 000007
【図６】
2018036480.tif 000008
【図７】
2018036480.tif 000009
【図８】
2018036480.tif 000010
【図９】
2018036480.tif 000011
【図１０】
2018036480.tif 000012
【図１１】
2018036480.tif 000013
【図１２】
2018036480.tif 000014
【図１３】
2018036480.tif 000015
【図１４】
2018036480.tif 000016
【図１５】
2018036480.tif 000017
【図１６】
2018036480.tif 000018
【図１７】
2018036480.tif 000019
【図１８】
2018036480.tif 000020
【図１９】
2018036480.tif 000021
【図２０】
2018036480.tif 000022
【図２１】
2018036480.tif 000023
【図２２】
2018036480.tif 000024
【図２３】
2018036480.tif 000025
【図２４】
2018036480.tif 000026
【図２５】
2018036480.tif 000027
【図２６】
2018036480.tif 000028
【図２７】
2018036480.tif 000029
【図２８】
2018036480.tif 000030
【図２９】
2018036480.tif 000031